(57)【要約】【課題】通信相手となる装置の状態に適した条件で、通信することが可能な被呼装置、発呼装置、通信システム、通信プログラムおよび通信方法を提供する。【解決手段】被呼装置の使用状態を収集し、被呼装置の使用状態に対応する受信条件を、発呼装置からの要求に応じて、発呼装置へ送信する。【選択図】図８
2007142956.tif 000002
【特許請求の範囲】
【請求項１】
発呼装置との間で通話を含む複数の通信形態を取り得る被呼装置であって、
前記被呼装置の使用状態を収集する情報収集手段と、
前記使用状態に対応した受信条件を記憶する受信条件記憶手段と、
前記発呼装置からの要求に応じて、前記収集した使用状態に対応する受信条件を前記発呼装置へ送信する送信手段と、
前記発呼装置からの前記受信条件に応じた接続要求に基づき通信回線を設定する回線設定手段とを備える、被呼装置。
【請求項２】
前記受信条件は、前記情報収集手段が収集した使用状態を含む、請求項１に記載の被呼装置。
【請求項３】
前記被呼装置には１以上の機器がネットワークで接続されており、
前記情報収集手段が収集する使用状態は、前記１以上の機器の使用状態を含む、請求項１に記載の被呼装置。
【請求項４】
前記受信条件記憶手段が記憶する使用状態に対応した受信条件を変更する変更手段をさらに備える、請求項１〜３のいずれかに記載の被呼装置。
【請求項５】
前記受信条件記憶手段は、前記受信条件の送信が許可された装置の情報である送信許可情報をさらに記憶し、
前記発呼装置は、前記送信許可情報において前記受信条件の送信が許可された装置である、請求項１〜請求項４のいずれかに記載の被呼装置。
【請求項６】
前記受信条件には、音声通信または映像通信が含まれる、請求項１〜請求項５のいずれかに記載の被呼装置。
【請求項７】
前記情報収集手段が収集する使用状態には、コンテンツの出力状態が含まれ、
前記コンテンツの終了時刻に基づき、通信が可能となる時刻を特定する特定手段と、
前記受信条件には、前記特定された時刻が含まれる、請求項１〜請求項６のいずれかに記載の被呼装置。
【請求項８】
前記発呼装置からの接続要求に基づいて呼出しを行う呼出手段と、
前記コンテンツの出力状態に応じて前記呼出手段による呼出方法を切換える呼出制御手段とをさらに備える、請求項７に記載の被呼装置。
【請求項９】
被呼装置との間で通話を含む複数の通信形態を取り得る発呼装置であって、
前記被呼装置に対する発信条件を記憶する発信条件記憶手段と、
前記被呼装置に受信条件を要求する受信条件要求手段と、
前記要求に応じて前記被呼装置から送信された前記受信条件を受信する受信手段と、
前記受信条件と前記発信条件との一致を判定する判定手段と、
前記一致した条件で前記被呼装置に接続を要求する接続要求手段とを備える、発呼装置。
【請求項１０】
前記発信条件には、音声通信または映像通信が含まれる、請求項９に記載の発呼装置。
【請求項１１】
発呼装置と被呼装置が通話を含む複数の通信形態を取り得る通信システムであって、
前記発呼装置は、
前記被呼装置に対する発信条件を記憶する発信条件記憶手段と、
前記被呼装置に受信条件を要求する受信条件要求手段と、
前記要求に応じて前記被呼装置から送信された前記受信条件を受信する受信手段と、
前記受信条件と前記発信条件との一致を判定する判定手段と、
前記一致した条件で前記被呼装置に接続を要求する接続要求手段とを備え、
前記被呼装置は、
前記被呼装置の使用状態を収集する情報収集手段と、
前記使用状態に対応した受信条件を記憶する受信条件記憶手段と、
前記発呼装置からの要求に応じて、前記使用状態に対応する受信条件を前記発呼装置へ送信する送信手段と、
前記発呼装置からの前記受信条件に応じた接続要求に基づき通信回線を設定する回線設定手段とを備える、通信システム。
【請求項１２】
発呼装置との間で通話を含む複数の通信形態を取り得る被呼装置の処理をコンピュータに実行させる通信プログラムであって、
前記コンピュータの記憶部には使用状態に対応した受信条件が記憶され、
前記使用状態を収集するステップと、
前記発呼装置からの要求に応じて、前記収集した使用状態に対応する受信条件を前記発呼装置へ送信するステップと、
前記発呼装置からの前記受信条件に応じた接続要求に基づき通信回線を設定するステップとをコンピュータに実行させる、通信プログラム。
【請求項１３】
被呼装置との間で通話を含む複数の通信形態を取り得る発呼装置の処理をコンピュータに実行させる通信プログラムであって、
前記被呼装置に対する発信条件を記憶するステップと、
前記被呼装置に受信条件を要求するステップと、
前記要求に応じて前記被呼装置から送信された前記受信条件を受信するステップと、
前記受信条件と前記発信条件との一致を判定するステップと、
前記一致した条件で前記被呼装置に接続を要求するステップとをコンピュータに実行させる、通信プログラム。
【請求項１４】
発呼装置との間で通話を含む複数の通信形態を取り得る被呼装置が行なう通信方法であって、
前記被呼装置の記憶部には前記被呼装置の使用状態に対応した受信条件が記憶され、
前記被呼装置の使用状態を収集する工程と、
前記発呼装置からの要求に応じて、前記収集した使用状態に対応する受信条件を前記発呼装置へ送信する工程と、
前記発呼装置からの前記受信条件に応じた接続要求に基づき通信回線を設定する工程とを含む、通信方法。
【請求項１５】
被呼装置との間で通話を含む複数の通信形態を取り得る発呼装置が行なう通信方法であって、
前記被呼装置に対する発信条件を記憶する工程と、
前記被呼装置に受信条件を要求する工程と、
前記要求に応じて前記被呼装置から送信された前記受信条件を受信する工程と、
前記受信条件と前記発信条件との一致を判定する工程と、
前記一致した条件で前記被呼装置に接続を要求する工程とを含む、通信方法。
【発明の詳細な説明】
【技術分野】
【０００１】
本発明は、被呼装置、発呼装置、通信システム、通信プログラムおよび通信方法に関し、特に、複数の通信端末装置間で通信する、被呼装置、発呼装置、通信システム、通信プログラムおよび通信方法に関する。
【背景技術】
【０００２】
ユーザが特定の相手と電話を利用して通話をしたいと思っているとき、特定の相手は電話を受けられる状態であるとは限らない。以下においては、電話をかける者を、発呼者ともいう。また、電話を受ける者を、被呼者ともいう。
【０００３】
特開昭６２−０８４６４４号公報（特許文献１）には、所定時間毎に相手先と電話がつながるまで自動呼出しを行ない、相手先と電話がつながると、電話が繋がった旨を報知する技術が開示されている。
【０００４】
また、特開昭６０−０５１０５２号公報（特許文献２）には、発呼者が、被呼者からの呼び返しを希望する場合、被呼者の電話機に呼び返し希望の旨が表示される技術が開示されている。
【０００５】
しかしながら、特開昭６２−０８４６４４号公報（特許文献１）および特開昭６０−０５１０５２号公報（特許文献２）に開示されている技術では、発呼者が電話を被呼者に対しかけたとき、被呼者がどういう状態であるか知ることができないという問題（以下、問題Ａともいう）が発生する。
【０００６】
そこで、上記問題Ａを解決するために、特開２００３−２７３９９６号公報（特許文献３）および特開２００５−０３９５０７号公報（特許文献４）には、発呼者に対し、被呼者の状態（たとえば、就寝中）を報知する技術（以下、従来技術Ａともいう）が開示されている。
【特許文献１】特開昭６２−０８４６４４号公報
【特許文献２】特開昭６０−０５１０５２号公報
【特許文献３】特開２００３−２７３９９６号公報
【特許文献４】特開２００５−０３９５０７号公報
【発明の開示】
【発明が解決しようとする課題】
【０００７】
しかしながら、従来技術Ａでは、被呼者は、自分の状態を手動で入力しなければならず、被呼者が使用する通信装置の状態が変化したとき、変化した通信装置の状態を、発呼者は、即座に知ることが出来ないという問題があった。
【０００８】
そのため、発呼者が、変化した通信装置の状態を知る前に、被呼者が使用する通信装置に対し電話をしたとき、被呼者が電話に出られない状態（たとえば、会議中）になっていれば、発呼者に無駄な操作をさせることになる。
【０００９】
本発明は、上述の問題点を解決するためになされたものであって、その目的は、使用状態に適した条件で、通信することが可能な被呼装置を提供することである。
【００１０】
本発明の他の目的は、通信相手となる装置の状態に適した条件で、通信することが可能な発呼装置を提供することである。
【００１１】
本発明の他の目的は、通信相手となる装置の状態に適した条件で、通信することが可能な通信システムを提供することである。
【００１２】
本発明の他の目的は、通信相手となる装置の状態に適した条件で、通信することが可能な通信プログラムを提供することである。
【００１３】
本発明の他の目的は、通信相手となる装置の状態に適した条件で、通信することが可能な通信方法を提供することである。
【課題を解決するための手段】
【００１４】
上述の課題を解決するために、この発明のある局面に従うと、発呼装置との間で通話を含む複数の通信形態を取り得る被呼装置は、被呼装置の使用状態を収集する情報収集手段と、使用状態に対応した受信条件を記憶する受信条件記憶手段と、発呼装置からの要求に応じて、収集した使用状態に対応する受信条件を発呼装置へ送信する送信手段と、発呼装置からの受信条件に応じた接続要求に基づき通信回線を設定する回線設定手段とを備える。
【００１５】
好ましくは、受信条件は、情報収集手段が収集した使用状態を含む。
好ましくは、被呼装置には１以上の機器がネットワークで接続されており、
情報収集手段が収集する使用状態は、１以上の機器の使用状態を含む。
【００１６】
好ましくは、受信条件記憶手段が記憶する使用状態に対応した受信条件を変更する変更手段をさらに備える。
【００１７】
好ましくは、受信条件記憶手段は、受信条件の送信が許可された装置の情報である送信許可情報をさらに記憶し、発呼装置は、送信許可情報において受信条件の送信が許可された装置である。
【００１８】
好ましくは、受信条件には、音声通信または映像通信が含まれる。
好ましくは、情報収集手段が収集する使用状態には、コンテンツの出力状態が含まれ、コンテンツの終了時刻に基づき、通信が可能となる時刻を特定する特定手段と、受信条件には、特定された時刻が含まれる。
【００１９】
好ましくは、発呼装置からの接続要求に基づいて呼出しを行う呼出手段と、コンテンツの出力状態に応じて呼出手段による呼出方法を切換える呼出制御手段とをさらに備える。
【００２０】
この発明の他の局面に従うと、被呼装置との間で通話を含む複数の通信形態を取り得る発呼装置は、被呼装置に対する発信条件を記憶する発信条件記憶手段と、被呼装置に受信条件を要求する受信条件要求手段と、要求に応じて被呼装置から送信された受信条件を受信する受信手段と、受信条件と発信条件との一致を判定する判定手段と、一致した条件で被呼装置に接続を要求する接続要求手段とを備える。
【００２１】
好ましくは、発信条件には、音声通信または映像通信が含まれる。
この発明のさらに他の局面に従うと、発呼装置と被呼装置が通話を含む複数の通信形態を取り得る通信システムであって、発呼装置は、被呼装置に対する発信条件を記憶する発信条件記憶手段と、被呼装置に受信条件を要求する受信条件要求手段と、要求に応じて被呼装置から送信された受信条件を受信する受信手段と、受信条件と発信条件との一致を判定する判定手段と、一致した条件で被呼装置に接続を要求する接続要求手段とを備え、被呼装置は、被呼装置の使用状態を収集する情報収集手段と、使用状態に対応した受信条件を記憶する受信条件記憶手段と、発呼装置からの要求に応じて、使用状態に対応する受信条件を発呼装置へ送信する送信手段と、発呼装置からの受信条件に応じた接続要求に基づき通信回線を設定する回線設定手段とを備える。
【００２２】
この発明のさらに他の局面に従うと、発呼装置との間で通話を含む複数の通信形態を取り得る被呼装置の処理をコンピュータに実行させる通信プログラムであって、コンピュータの記憶部には使用状態に対応した受信条件が記憶され、通信プログラムは、使用状態を収集するステップと、発呼装置からの要求に応じて、収集した使用状態に対応する受信条件を発呼装置へ送信するステップと、発呼装置からの受信条件に応じた接続要求に基づき通信回線を設定するステップとをコンピュータに実行させる。
【００２３】
この発明のさらに他の局面に従うと、被呼装置との間で通話を含む複数の通信形態を取り得る発呼装置の処理をコンピュータに実行させる通信プログラムは、被呼装置に対する発信条件を記憶するステップと、被呼装置に受信条件を要求するステップと、要求に応じて被呼装置から送信された受信条件を受信するステップと、受信条件と発信条件との一致を判定するステップと、一致した条件で被呼装置に接続を要求するステップとをコンピュータに実行させる。
【００２４】
この発明のさらに他の局面に従うと、発呼装置との間で通話を含む複数の通信形態を取り得る被呼装置が行なう通信方法であって、被呼装置の記憶部には被呼装置の使用状態に対応した受信条件が記憶され、通信方法は、被呼装置の使用状態を収集する工程と、発呼装置からの要求に応じて、収集した使用状態に対応する受信条件を発呼装置へ送信する工程と、発呼装置からの受信条件に応じた接続要求に基づき通信回線を設定する工程とを含む。
【００２５】
この発明のさらに他の局面に従うと、被呼装置との間で通話を含む複数の通信形態を取り得る発呼装置が行なう通信方法は、被呼装置に対する発信条件を記憶する工程と、被呼装置に受信条件を要求する工程と、要求に応じて被呼装置から送信された受信条件を受信する工程と、受信条件と発信条件との一致を判定する工程と、一致した条件で被呼装置に接続を要求する工程とを含む。
【発明の効果】
【００２６】
本発明に係る被呼装置は、被呼装置の使用状態を収集し、使用状態に対応する受信条件を、発呼装置からの要求に応じて、発呼装置へ送信する。
【００２７】
したがって、被呼装置は、使用状態に適した条件で、通信することができるという効果を奏する。
【００２８】
本発明に係る発呼装置は、被呼装置から送信された受信条件を受信する。そして、受信条件と発信条件との一致を判定し、一致した条件で被呼装置に接続を要求する。
【００２９】
したがって、通信相手となる被呼装置の状態に適した条件で、被呼装置と通信することができるという効果を奏する。
【００３０】
本発明に係る通信システムは、発呼装置と被呼装置とから構成される。被呼装置は、被呼装置の使用状態を収集し、使用状態に対応する受信条件を、発呼装置からの要求に応じて、発呼装置へ送信する。発呼装置は、被呼装置から送信された受信条件を受信する。そして、受信条件と発信条件との一致を判定し、一致した条件で被呼装置に接続を要求する。
【００３１】
したがって、通信システムにおける被呼装置及び発呼装置は、互いに一致した条件で通信することができるという効果を奏する。
【００３２】
本発明に係る通信プログラムは、被呼装置の使用状態を収集し、使用状態に対応する受信条件を、発呼装置からの要求に応じて、発呼装置へ送信する。
【００３３】
したがって、被呼装置は、使用状態に適した条件で、通信することができるという効果を奏する。
【００３４】
本発明に係る通信プログラムは、被呼装置から送信された受信条件を受信する。そして、受信条件と発信条件との一致を判定し、一致した条件で被呼装置に接続を要求する。
【００３５】
したがって、通信相手となる被呼装置に適した条件で、被呼装置と通信することができるという効果を奏する。
【００３６】
本発明に係る通信方法は、被呼装置の使用状態を収集し、使用状態に対応する受信条件を、発呼装置からの要求に応じて、発呼装置へ送信する。
【００３７】
したがって、被呼装置は、使用状態に適した条件で、通信することができるという効果を奏する。
【００３８】
本発明に係る通信方法は、被呼装置から送信された受信条件を受信する。そして、受信条件と発信条件との一致を判定し、一致した条件で被呼装置に接続を要求する。
【００３９】
したがって、通信相手となる被呼装置に適した条件で、被呼装置と通信することができるという効果を奏する。
【発明を実施するための最良の形態】
【００４０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００４１】
図１は、本実施の形態における通信システム１０００の構成を示す図である。図１を参照して、通信システム１０００には、通信端末装置５００と、通信端末装置６００と、ネットワーク７０と、ホームネットワークシステム７００とから構成される。
【００４２】
ネットワーク７０は、インターネットなどの外部のネットワークである。
通信端末装置５００は、インターネット電話の機能を有するＶｏＩＰ（Voice over Internet Protocol）電話機である。なお、通信端末装置５００は、ＶｏＩＰ電話機に限定されることなく、インターネット電話の機能を有する装置であればどのような装置でもよい。
【００４３】
通信端末装置６００は、インターネット電話の機能を有するテレビである。また、通信端末装置６００は、複数の家電同士をネットワークで接続するための規格に準拠した装置である。複数の家電同士をネットワークで接続するための規格にはＤＬＮＡ（Digital Living Network Alliance）や、ＥＣＨＯＮＥＴといったものがある。また、ＤＬＮＡ規格やＥＣＨＯＮＥＴ規格は、パソコンと家電とをネットワークで接続するための規格でもある。なお、通信端末装置５００は、テレビ機能を備えたものに限定されることなく、インターネット電話の機能を有し、家電同士をネットワークで接続するための規格に準拠する装置であればどのような装置でもよい。
【００４４】
ホームネットワークシステム７００は、複数のネットワーク家電から構成される。ホームネットワークシステム７００は、ＳＴＢ（Set Top Box）７００Ａと、ＤＶＤ（Digital Versatile Disk）再生装置７００Ｂと、照明装置７００Ｃと、調理装置７００Ｄと、通信部７７０とから構成される。
【００４５】
通信部７７０は、無線ＬＡＮの規格であるＩＥＥＥ８０２．１１ａ、ＩＥＥＥ８０２．１１ｂ、ＩＥＥＥ８０２．１１ｇまたはその他無線技術を利用したデータ通信を行なう機能を有する。また、ＳＴＢ７００Ａ、ＤＶＤ再生装置７００Ｂ、照明装置７００Ｃおよび調理装置７００Ｄの各々は、通信部７７０と同様な無線技術を利用したデータ通信を行なう機能を有する。
【００４６】
したがって、ＳＴＢ７００Ａ、ＤＶＤ再生装置７００Ｂ、照明装置７００Ｃおよび調理装置７００Ｄの各々は、通信部７７０と無線でデータ通信を行なうことが可能である。また、通信端末装置６００は、通信部７７０と無線でデータ通信を行なうことが可能である。
【００４７】
また、通信部７７０は、さらに、有線ＬＡＮ（イーサネット（登録商標）あるいはＰＬＣ(電力線搬送通信)など）を利用した通信用インターフェースの機能（たとえば、ルータ機能）を有する。また、ＳＴＢ７００Ａ、ＤＶＤ再生装置７００Ｂ、照明装置７００Ｃおよび調理装置７００Ｄの各々は、通信部７７０と同様な通信用インターフェースの機能を有する。
【００４８】
したがって、ＳＴＢ７００Ａ、ＤＶＤ再生装置７００Ｂ、照明装置７００Ｃおよび調理装置７００Ｄの各々は、たとえば、ＬＡＮケーブルを介して、通信部７７０とデータ通信を行なうことが可能である。また、通信端末装置６００は、たとえば、ＬＡＮケーブルを介して、通信部７７０とデータ通信を行なうことが可能である。
【００４９】
すなわち、通信端末装置６００は、通信部７７０を介して、ＳＴＢ７００Ａ、ＤＶＤ再生装置７００Ｂ、照明装置７００Ｃおよび調理装置７００Ｄの各々と、無線または有線でデータ通信可能である。
【００５０】
ＳＴＢ７００ＡおよびＤＶＤ再生装置７００Ｂの各々は、ＤＬＮＡ規格に準拠した装置である。ＳＴＢ７００Ａは、通信部７７０を介して、通信端末装置６００と接続され、通信端末装置６００が様々なサービス（たとえば、有料番組の視聴サービス）を受けられるようにするための機器である。また、ＳＴＢ７００Ａは、通信端末装置６００からの要求指示に応じて、有料番組情報を通信端末装置６００へ送信する。有料番組情報には、たとえば、有料番組のタイトル、有料番組の内容、有料番組の開始時刻、有料番組の終了時刻等の情報等が含まれる。
【００５１】
ＤＶＤ再生装置７００Ｂは、記録媒体としてのＤＶＤに記録された動画像データおよび音声データを再生する装置である。また、ＤＶＤ再生装置７００Ｂは、通信部７７０を介して、通信端末装置６００と接続される。ＤＶＤ再生装置７００Ｂは、通信端末装置６００からの要求指示に応じて、ＤＶＤ再生情報を、通信端末装置６００へ送信する。ＤＶＤ再生情報には、たとえば、ＤＶＤの再生可能時間、現在のＤＶＤの再生位置の情報、ＤＶＤのタイトルの情報等が含まれる。
【００５２】
照明装置７００Ｃおよび調理装置７００Ｄの各々は、エコーネット（ECHONET（Energy Conservation and Homecare Network））の規格に準拠した装置である。エコーネットの規格は、パソコンと家電とをネットワークで接続するための規格である。
【００５３】
照明装置７００Ｃは、照明装置７００Ｃ自身が発する光による照度データをネットワークに接続された他の装置へ送信する機能を有する。調理装置７００Ｄは、たとえば、磁力線を利用して鍋などを加熱するＩＨ調理器であるとする。調理装置７００Ｄは、火力の強さを示すデータ（以下、火力データともいう）をネットワークに接続された他の装置へ送信する機能を有する。
【００５４】
図２は、本実施の形態における通信端末装置５００の内部の構成を示すブロック図である。なお、図２には、説明のために、記録媒体５５５も示している。記録媒体５５５には、後述するプログラム１８０が記録されている。すなわち、プログラム１８０は、媒体等に記録されてプログラム製品として流通される。また、記録媒体５５５もプログラム製品として流通される。
【００５５】
図２を参照して、通信端末装置５００は、表示部５３０と、制御部５１０と、一時記憶部５２２と、ＲＯＭ（Read Only Memory）５２４と、記憶部５２０と、通信部５６０と、通信部５６２と、ＶＤＰ（Video Display Processor）５３２と、ＣＧＲＯＭ（Character Graphic Read Only Memory）５３４と、ＶＲＡＭ（Video Random Access Memory）５３６と、ボタン群５４６と、入力部５４０と、記録媒体アクセス部５５０とを備える。
【００５６】
表示部５３０は、ユーザに各種情報を参照可能とするために、文字や画像等を表示する機能を有する。表示部５３０は、後述するＶＤＰ５３２から出力された画像データに基づいた画像を表示する。表示部５３０は、液晶ディスプレイ（ＬＣＤ（Liquid Crystal Display））、ＣＲＴ（Cathode Ray Tube）ディスプレイ、ＦＥＤ（Field Emission Display）、有機ＥＬディスプレイ（Organic Electro luminescence Display）、ドットマトリクス等その他の画像表示方式の表示機器のいずれであってもよい。
【００５７】
なお、通信端末装置５００は、表示部５３０あるいは後述の音声出力部５７４を備えなくてもよい。この場合、通信端末装置５００は、映像出力端子あるいは音声出力端子を備える。通信端末装置５００の映像出力端子及び音声出力端子はそれぞれ、テレビジョン受像機などの表示装置の映像入力端子及び音声入力端子とケーブルにより接続される。この場合、通信端末装置５００が表示装置へ映像信号と音声信号を送信すると、表示装置は受信した映像信号に応じた画像を表示し、音声信号に応じた音声を出力する。
【００５８】
ＣＧＲＯＭ５３４には、フォントデータ、図形データなど、ＶＤＰ５３２が、表示部５３０に表示させる画像を生成するための画像データが記憶されている。
【００５９】
記憶部５２０には、制御部５１０に後述する処理を行なわせるためのプログラム１８０、設定情報、その他各種プログラムおよびデータ等が記憶されている。プログラム１８０は、後述する、発呼開始プログラム、発呼側処理プログラム、被呼側処理プログラムおよび設定値変更プログラムを含む。
【００６０】
記憶部５２０は、制御部５１０によってデータアクセスされる。記憶部５２０は、大容量のデータを記憶可能なハードディスクである。なお、記憶部５２０は、ハードディスクに限定されることなく、電源を供給されなくてもデータを不揮発的に保持可能な媒体（たとえば、フラッシュメモリ）であればよい。
【００６１】
ＲＯＭ５２４には、制御部５１０に後述する処理を行なわせるためのプログラム１８０が記憶されている。なお、プログラム１８０は、記憶部５２０およびＲＯＭ５２４のいずれか一方に記憶されていればよい。
【００６２】
制御部５１０は、記憶部５２０またはＲＯＭ５２４に記憶されたプログラム１８０に従って、通信端末装置５００の内部の各機器に対する各種処理や、演算処理等を行なう機能を有する。制御部５１０は、マイクロプロセッサ（Microprocessor）、ＦＰＧＡ（Field Programmable Gate Array）、ＡＳＩＣ（Application Specific Integrated Circuit）、その他の演算機能を有する回路のいずれであってもよい。
【００６３】
なお、制御部５１０は、時刻算出部５１０Ａとして動作する。時刻算出部５１０Ａは、現在の時刻を算出する。
【００６４】
また、制御部５１０は、記憶部５２０またはＲＯＭ５２４に記憶されたプログラム１８０に従って、ＶＤＰ５３２に対し、画像を生成させ、当該画像を表示部５３０に表示させる指示（以下においては、「描画指示」ともいう）を出す。
【００６５】
ＶＤＰ５３２は表示部５３０と接続されている。ＶＤＰ５３２は、制御部５１０からの描画指示に応じて、ＣＧＲＯＭ５３４から必要な画像データを読出し、ＶＲＡＭ５３６を利用して画像を生成する。そして、ＶＤＰ５３２は、ＶＲＡＭ５３６に記憶された画像データを読出し、表示部５３０に、当該画像データに基づく画像を表示させる。
【００６６】
ＶＲＡＭ５３６は、ＶＤＰ５３２が生成した画像を一時的に記憶する機能を有する。一時記憶部５２２は、制御部５１０によってデータアクセスされ、一時的にデータを記憶するワークメモリとして使用される。
【００６７】
一時記憶部５２２は、ＲＡＭ（Random Access Memory）、ＳＲＡＭ（Static Random Access Memory）、ＤＲＡＭ（Dynamic Random Access Memory）、ＳＤＲＡＭ（Synchronous DRAM）、ＤＤＲ−ＳＤＲＡＭ（Double Data Rate SDRAM）、ＲＤＲＡＭ（Rambus Dynamic Random Access Memory）、Ｄｉｒｅｃｔ−ＲＤＲＡＭ（Direct Rambus Dynamic Random Access Memory）、その他、データを揮発的に記憶保持可能な構成を有する回路のいずれであってもよい。
【００６８】
入力部５４０には、ボタン群５４６が接続されている。ボタン群５４６は、図示されない複数のボタンを含む。複数のボタンは、通信端末装置５００の外部に設けられている。複数のボタンのうち、いずれかのボタンがユーザにより押下操作されると、入力部５４０は、押下操作されたボタンに対応するボタン信号を、制御部５１０へ送信する。制御部５１０は、受信したボタン信号に基づいて、所定の処理を行なう。すなわち、ユーザは、ボタン群５４６のボタンを押下操作することで、通信端末装置５００に指示を与えることができる。
【００６９】
記録媒体アクセス部５５０は、プログラム１８０が記録された記録媒体５５５から、プログラム１８０を読出す機能を有する。記録媒体５５５に記憶されているプログラム１８０は、制御部５１０の動作（インストール処理）により、記録媒体アクセス部５５０により読み出され、制御部５１０が、記憶部５２０に記憶させる。
【００７０】
このインストール処理用プログラムは、予め、記憶部５２０に格納されており、インストール処理は、制御部５１０が、インストール処理用プログラムに基づいて行なう。
【００７１】
なお、記憶部５２０には、プログラム１８０がインストールされていなくてもよい。この場合、制御部５１０は、記録媒体アクセス部５５０を介して、記録媒体５５５に記憶されたプログラム１８０を読み出して、プログラム１８０に基づいた所定の処理を行なう。
【００７２】
記録媒体５５５は、ＤＶＤ−ＲＯＭ（Digital Versatile Disk Read Only Memory）、ＤＶＤ−Ｒ（Digital Versatile Disk Recordable）、ＤＶＤ−ＲＡＭ（Digital Versatile Disk Random Access Memory）、ＤＶＤ＋ＲＷ（Digital Versatile Disk Re-Writable）、ＤＶＤ−ＲＷ、ＣＤ−ＲＯＭ（Compact Disk Read Only Memory）、ＭＯ（Magneto Optical Disk）、フロッピー（登録商標）ディスク、ＣＦ(Compact Flash) カード、ＳＭ（Smart Media（登録商標））、ＭＭＣ（Multi Media Card）、ＳＤ（Secure Digital）メモリーカード、メモリースティック（登録商標）、ｘＤピクチャーカードおよびＵＳＢメモリ、磁気テープ、その他不揮発性メモリのいずれであってもよい。
【００７３】
通信部５６０は、制御部５１０とデータの送受信を行なう。通信部５６０は、イーサネット（登録商標）、ＰＬＣ（電力線搬送通信)、ＵＳＢ（Universal Serial Bus）１．１、ＵＳＢ２．０またはその他シリアル転送を行なう通信用インターフェースの機能を有する。なお、通信部５６０は、セントロニクス仕様、ＩＥＥＥ１２８４（Institute of Electrical and Electronic Engineers 1284）、その他パラレル転送を行なう通信用インターフェースの機能を有していてもよい。また、通信部５６０は、ＩＥＥＥ１３９４、その他ＳＣＳＩ規格を利用した通信用インターフェースの機能を有していてもよい。
【００７４】
また、通信部５６０は、さらに、無線データ通信機能を有する。無線データ通信機能は、ブルートゥース（Bluetooth）を使用して、無線でデータ通信を行なう機能である。また、無線データ通信機能は、赤外線を使用して、無線でデータ通信を行なう機能でもある。
【００７５】
通信部５６０は、制御部５１０からの制御指示に応じて、他の端末と無線でデータ通信を行なう。また、通信部５６０は、他の端末から受信した無線信号に基づくデータを、制御部５１０へ送信する。
【００７６】
通信部５６２は、制御部５１０と、データの送受信を行なう。通信部５６２は、無線ＬＡＮの規格であるＩＥＥＥ８０２．１１ａ、ＩＥＥＥ８０２．１１ｂ、ＩＥＥＥ８０２．１１ｇまたはその他無線技術を利用してデータ通信を行なう機能を有する。
【００７７】
また、通信部５６２は、さらに、イーサネット（登録商標）を利用した通信用インターフェースの機能を有する。したがって、通信部５６２は、たとえば、ＬＡＮケーブルを介して、ネットワーク７０とデータ通信を行なうことができる。
【００７８】
したがって、本実施の形態における通信端末装置５００は、ネットワーク７０から、通信部５６２を介して、プログラムのダウンロード処理を行ない、記憶部５２０に格納することもできる。この場合、当該ダウンロードしたプログラムは、プログラム１８０である。
【００７９】
制御部５１０は、ネットワーク７０からダウンロードしたプログラム（プログラム１８０）に従って、所定の処理を行なう。このダウンロード用プログラムは、予め、記憶部５２０に格納されており、ダウンロード処理は、制御部５１０が、ダウンロード用プログラムに基づいて行なう。
【００８０】
通信端末装置５００は、さらに、音声入力部５７２と、音声出力部５７４と、画像入力部５８２とを備える。
【００８１】
音声入力部５７２は、音声を入力する機能を有する。音声入力部５７２は、たとえば、マイクである。音声入力部５７２は、通話のときに使用される。音声入力部５７２は、入力した音声をデジタルの音声データに変換して制御部５１０へ送信する。
【００８２】
音声出力部５７４は、音声を出力する機能を有する。音声出力部５７４は、たとえば、スピーカである。音声出力部５７４は、通話のときに使用される。音声出力部５７４は、制御部５１０から受信したデジタルの音声データに基づく音声を出力する。
【００８３】
画像入力部５８２は、被写体を撮像する撮像処理を行なう。画像入力部５８２は、たとえば、ＣＣＤカメラである。画像入力部５８２は、撮像処理により取得した静止画像のデータまたは動画像のデータを、制御部５１０へ送信する。
【００８４】
図３は、本実施の形態における通信端末装置６００の内部の構成を示すブロック図である。なお、図３には、説明のために、記録媒体５５５Ａも示している。記録媒体５５５Ａには、後述するプログラム１８０Ａが記録されている。すなわち、プログラム１８０Ａは、媒体等に記録されてプログラム製品として流通される。また、記録媒体５５５Ａもプログラム製品として流通される。
【００８５】
図３を参照して、通信端末装置６００は、表示部６３０と、制御部６１０と、一時記憶部６２２と、ＲＯＭ６２４と、記憶部６２０と、通信部６６０と、通信部６６２と、ＶＤＰ６３２と、ＣＧＲＯＭ６３４と、ＶＲＡＭ６３６と、ボタン群６４６と、入力部６４０と、記録媒体アクセス部６５０とを備える。
【００８６】
表示部６３０は、前述の表示部５３０と同様な機能を有する。表示部６３０は、液晶ディスプレイ、ＣＲＴディスプレイ、ＦＥＤ、ＰＤＰ（Plasma Display Panel）ディスプレイ、有機ＥＬディスプレイ、ドットマトリクス等その他の画像表示方式の表示機器のいずれであってもよい。
【００８７】
なお、通信端末装置６００は、表示部６３０あるいは後述の音声出力部６７４を備えなくてもよい。この場合、通信端末装置６００は、映像出力端子あるいは音声出力端子を備える。通信端末装置６００の映像出力端子及び音声出力端子はそれぞれ、テレビジョン受像機などの表示装置の映像入力端子及び音声入力端子とケーブルにより接続される。この場合、通信端末装置６００が表示装置へ映像信号と音声信号を送信すると、表示装置は受信した映像信号に応じた画像を表示し、音声信号に応じた音声出力をする。
【００８８】
ＣＧＲＯＭ６３４には、ＣＧＲＯＭ５３４と同様、フォントデータ、図形データなど、ＶＤＰ６３２が、表示部６３０に表示させる画像を生成するための画像データが記憶されている。
【００８９】
記憶部６２０には、制御部６１０に後述する処理を行なわせるためのプログラム１８０Ａ、設定情報、その他各種プログラムおよびデータ等が記憶されている。プログラム１８０Ａは、後述する、発呼開始プログラム、発呼側処理プログラム、被呼側処理プログラムおよび設定値変更プログラムを含む。
【００９０】
記憶部６２０は、制御部６１０によってデータアクセスされる。記憶部６２０は、前述の記憶部５２０と同様なものであるので詳細な説明は繰り返さない。
【００９１】
ＲＯＭ６２４には、制御部６１０に後述する処理を行なわせるためのプログラム１８０Ａが記憶されている。なお、プログラム１８０Ａは、記憶部６２０およびＲＯＭ６２４のいずれか一方に記憶されていればよい。
【００９２】
制御部６１０は、記憶部６２０またはＲＯＭ６２４に記憶されたプログラム１８０Ａに従って、通信端末装置６００の内部の各機器に対する各種処理や、演算処理等を行なう機能を有する。制御部６１０は、前述の制御部５１０と同様なものであるので詳細な説明は繰り返さない。
【００９３】
なお、制御部６１０は、時刻算出部６１０Ａとして動作する。時刻算出部６１０Ａは、前述の時刻算出部５１０Ａと同様な機能を有するので詳細な説明は繰り返さない。
【００９４】
また、制御部６１０は、記憶部６２０またはＲＯＭ６２４に記憶されたプログラム１８０Ａに従って、ＶＤＰ６３２に対し、画像を生成させ、当該画像を表示部６３０に表示させる描画指示を出す。
【００９５】
ＶＤＰ６３２は表示部６３０と接続されている。ＶＤＰ６３２は、制御部６１０からの描画指示に応じて、ＣＧＲＯＭ６３４から必要な画像データを読出し、ＶＲＡＭ６３６を利用して画像を生成する。そして、ＶＤＰ６３２は、ＶＲＡＭ６３６に記憶された画像データを読出し、表示部６３０に、当該画像データに基づく画像を表示させる。
【００９６】
ＶＲＡＭ６３６は、ＶＤＰ６３２が生成した画像を一時的に記憶する機能を有する。一時記憶部６２２は、制御部６１０によってデータアクセスされ、一時的にデータを記憶するワークメモリとして使用される。一時記憶部６２２は、前述の一時記憶部５２２と同様なものであるので詳細な説明は繰り返さない。
【００９７】
入力部６４０には、ボタン群６４６と、マウス６４２と、キーボード６４４とが接続されている。ボタン群６４６は、図示されない複数のボタンを含む。複数のボタンは、通信端末装置６００の外部に設けられている。複数のボタンのうち、いずれかのボタンがユーザにより押下操作されると、入力部６４０は、押下操作されたボタンに対応するボタン信号を、制御部６１０へ送信する。制御部６１０は、受信したボタン信号に基づいて、所定の処理を行なう。すなわち、ユーザは、ボタン群６４６のボタンを押下操作することで、通信端末装置６００に指示を与えることができる。
【００９８】
マウス６４２は、ユーザが通信端末装置６００を操作するためのインターフェースである。キーボード６４４は、ユーザが通信端末装置６００を操作するためのインターフェースである。ユーザは、マウス６４２またはキーボード６４４を利用して、通信端末装置６００に指示を与える。マウス６４２またはキーボード６４４からの入力指示は、入力部６４０を介して制御部６１０へ送信される。制御部６１０は、入力部６４０からの入力指示に基づいて所定の処理を行なう。
【００９９】
記録媒体アクセス部６５０は、プログラム１８０Ａが記録された記録媒体５５５Ａから、プログラム１８０Ａを読出す機能を有する。記録媒体５５５Ａに記憶されているプログラム１８０Ａは、制御部６１０の動作（インストール処理）により、記録媒体アクセス部６５０により読み出され、制御部６１０が、記憶部６２０に記憶させる。
【０１００】
このインストール処理用プログラムは、予め、記憶部６２０に格納されており、インストール処理は、制御部６１０が、インストール処理用プログラムに基づいて行なう。
【０１０１】
なお、記憶部６２０には、プログラム１８０Ａがインストールされていなくてもよい。この場合、制御部６１０は、記録媒体アクセス部６５０を介して、記録媒体５５５Ａに記憶されたプログラム１８０Ａを読み出して、プログラム１８０Ａに基づいた所定の処理を行なう。
【０１０２】
記録媒体５５５Ａは、前述の記録媒体５５５と同様なものなので詳細な説明は繰り返さない。通信部６６０は、前述の通信部５６０と同様な機能を有する。
【０１０３】
さらに、通信部６６０は、ユーザがリモコン６６２を操作することで、リモコン６６２から送信される赤外線を使用したリモコン信号を受信する機能を有する。通信部６６０は、受信したリモコン信号を制御部６１０へ送信する。制御部６１０は、通信部６６０から受信したリモコン信号に基づいて所定の処理を行なう。
【０１０４】
通信部６６２は、前述の通信部５６２と同様な機能を有する。したがって、本実施の形態における通信端末装置６００は、ネットワーク７０から、通信部６６２を介して、プログラムのダウンロード処理を行ない、記憶部６２０に格納することもできる。この場合、当該ダウンロードしたプログラムは、プログラム１８０Ａである。
【０１０５】
制御部６１０は、ネットワーク７０からダウンロードしたプログラム（プログラム１８０Ａ）に従って、所定の処理を行なう。このダウンロード用プログラムは、予め、記憶部６２０に格納されており、ダウンロード処理は、制御部６１０が、ダウンロード用プログラムに基づいて行なう。
【０１０６】
通信端末装置６００は、さらに、音声入力部６７２と、音声出力部６７４と、画像入力部６８２と、チューナ６９２とを備える。
【０１０７】
音声入力部６７２、音声出力部６７４および画像入力部６８２は、それぞれ、前述の音声入力部５７２、音声出力部５７４および画像入力部５８２と同様な機能を有するので詳細な説明は繰り返さない。
【０１０８】
チューナ６９２は、図示しないアンテナと接続されており、アンテナからテレビジョン信号を受信する。チューナ６９２は、テレビジョン信号を受信した場合、制御部６１０により指示された、チャンネルの信号をデジタルデータ（以下、テレビジョンデータともいう）に変換して、制御部６１０へ送信する。変換されたテレビジョンデータには、画像データと、音声データと、ＥＰＧ（Electric Program Guide）データとが含まれる。
【０１０９】
制御部６１０は、通信端末装置６００がテレビジョンデータに基づく画像データを表示部６３０に表示させるためのテレビモードに設定されている場合、テレビジョンデータを受信し、表示部６３０に、テレビジョンデータに基づく画像を表示させる。同時に、制御部６１０は、音声出力部６７４から、テレビジョンデータに基づく音声を出力させる。また、制御部６１０は、ＥＰＧデータを、記憶部６２０に記憶させる。
【０１１０】
次に、通信端末装置５００において、発呼開始プログラム実行操作が行なわれたとする。発呼開始プログラム実行操作とは、ユーザによる、制御部５１０に発呼開始プログラムを実行させるためのボタン群５４６の操作である。
【０１１１】
発呼開始プログラム実行操作が行なわれると、制御部５１０は、記憶部５２０に記憶されている、プログラム１８０の発呼開始プログラムを実行する。発呼開始プログラムの実行により、表示部５３０には、記憶部５２０に予め記憶されている電話帳テーブルＴ１００および発呼側通話レベルテーブルＴ１１０と、現在の時刻とに基づいた発呼条件設定画像が表示される。なお、電話帳テーブルＴ１００および発呼側通話レベルテーブルＴ１１０については後述する。
【０１１２】
発呼条件設定画像は、発呼条件設定画像に表示された条件で、通話相手に電話をかけるための画像である。
【０１１３】
図４は、一例としての発呼条件設定画像Ｇ１００を示す図である。図４を参照して、発呼条件設定画像Ｇ１００は、制御部５１０が、後述する電話帳テーブルＴ１００および発呼側通話レベルテーブルＴ１１０と、現在の時刻とに基づいて生成した画像である。現在の時刻は、前述した時刻算出部５１０Ａにより算出された時刻である。
【０１１４】
発呼条件設定画像Ｇ１００には、通話相手表示画像Ｇ１１０と、電話番号表示画像Ｇ１１２とが配置される。通話相手表示画像Ｇ１１０および電話番号表示画像Ｇ１１２には、以下に説明する電話帳テーブルＴ１００の通話相手データに含まれる複数の情報がそれぞれ表示される。
【０１１５】
図５は、一例としての電話帳テーブルＴ１００を示す図である。図５を参照して、電話帳テーブルＴ１００は、複数の通話相手データから構成される。通話相手データは、通話相手の登録名および電話番号を含む。通話相手の登録名は、電話帳テーブルＴ１００の「登録名」の列に表示される名称である。電話番号は、電話帳テーブルＴ１００の「登録名」に対応する行に表示される電話番号である。なお、電話帳テーブルＴ１００の通話相手データは、ユーザのボタン群５４６の操作により、変更可能である。
【０１１６】
初めて、発呼開始プログラムが実行される場合は、１番目に登録されている通話相手データ（登録名が祖母の通話相手データ）に含まれる通話相手の登録名および電話番号が、それぞれ、通話相手表示画像Ｇ１１０および電話番号表示画像Ｇ１１２に表示される。
【０１１７】
なお、発呼開始プログラムが実行されるのが初めてでない場合、前回使用された通話相手データに含まれる通話相手の登録名および電話番号が、それぞれ、通話相手表示画像Ｇ１１０および電話番号表示画像Ｇ１１２に表示される。
【０１１８】
通話相手表示画像Ｇ１１０に表示される通話相手は、ユーザのボタン群５４６の操作により、変更可能である。通話相手表示画像Ｇ１１０に表示される通話相手が変更されると、変更された通話相手に対応した電話番号が、電話番号表示画像Ｇ１１２に表示される。なお、電話番号表示画像Ｇ１１２に表示される電話番号は、ユーザのボタン群５４６の操作により、通話相手データに含まれる電話番号以外の電話番号に変更可能である。
【０１１９】
再び、図４を参照して、発呼条件設定画像Ｇ１００には、さらに、発呼側通話レベル表示画像Ｇ１２０と、通話方法表示画像Ｇ１２２と、通話時間表示画像Ｇ１２４とが配置される。発呼側通話レベル表示画像Ｇ１２０、通話方法表示画像Ｇ１２２および通話時間表示画像Ｇ１２４には、以下に説明する発呼側通話レベルテーブルＴ１１０の発呼側通話レベルデータに含まれる複数の情報がそれぞれ表示される。
【０１２０】
図６は、一例としての発呼側通話レベルテーブルＴ１１０を示す図である。図６を参照して、発呼側通話レベルテーブルＴ１１０は複数の発呼側通話レベルデータから構成される。発呼側通話レベルデータは、発呼側通話レベル、通話方法および通話時間を含む。発呼側通話レベルは、“１”〜“３”のいずれかの値を示す。
【０１２１】
発呼側通話レベルデータに含まれる通話方法は、通信端末装置５００の通話方法を、短時間音声電話、長時間音声電話およびテレビ電話のいずれかに特定する。短時間音声電話は、たとえば、通話相手に用件のみを伝えるための短時間（たとえば、１０分）の通話である。長時間音声電話は、たとえば、通話相手と雑談をするための長時間（たとえば、２０分）の通話である。テレビ電話は、表示部に表示される通話相手の画像を参照しながら、通話相手と話す通話である。短時間音声電話、長時間音声電話およびテレビ電話の通話時間は、初期値として、それぞれ、１０分、２０分、３０分に設定されている。
【０１２２】
初めて、発呼開始プログラムが実行される場合は、発呼側通話レベルが“３”の発呼側通話レベルデータに含まれる発呼側通話レベル、通話方法および通話時間が、それぞれ、発呼側通話レベル表示画像Ｇ１２０、通話方法表示画像Ｇ１２２および通話時間表示画像Ｇ１２４に表示される。なお、発呼開始プログラムが実行されるのが初めてでない場合、前回使用された発呼側通話レベルデータに含まれる発呼側通話レベル、通話方法および通話時間が、それぞれ、発呼側通話レベル表示画像Ｇ１２０、通話方法表示画像Ｇ１２２および通話時間表示画像Ｇ１２４に表示される。
【０１２３】
発呼側通話レベル表示画像Ｇ１２０に表示される発呼側通話レベルは、ユーザのボタン群５４６の操作により、変更可能である。発呼側通話レベル表示画像Ｇ１２０に表示される発呼側通話レベルが変更されると、変更された発呼側通話レベルに対応した通話方法および通話時間が、それぞれ、通話方法表示画像Ｇ１２２および通話時間表示画像Ｇ１２４に表示される。なお、通話時間表示画像Ｇ１２４に表示される通話時間は、ユーザのボタン群５４６の操作により、発呼側通話レベルデータに含まれる通話時間以外の通話時間に変更可能である。
【０１２４】
再び、図４を参照して、発呼条件設定画像Ｇ１００には、さらに、通話開始予定時刻表示画像Ｇ１３２，Ｇ１３４と、通話終了予定時刻表示画像Ｇ１４２，Ｇ１４４と、通話開始ボタン画像Ｇ１５０と、終了ボタン画像Ｇ１５２とが配置される。
【０１２５】
通話開始予定時刻表示画像Ｇ１３２，Ｇ１３４には、前述した時刻算出部５１０Ａにより算出された現在の時刻から所定時間（たとえば、３分）経過した時刻が表示される。なお、通話開始予定時刻表示画像Ｇ１３２，Ｇ１３４に表示される時刻は、現在の時刻から所定時間経過した時刻に限定されることなく、たとえば、時刻算出部５１０Ａにより算出された現在の時刻であってもよい。通話開始予定時刻表示画像Ｇ１３２，Ｇ１３４に表示される時刻は、通話の開始予定となる時刻である。なお、通話開始予定時刻表示画像Ｇ１３２，Ｇ１３４に表示される時刻は、ユーザのボタン群５４６の操作により、任意の時刻に変更可能である。
【０１２６】
通話終了予定時刻表示画像Ｇ１４２，Ｇ１４４には、通話開始予定時刻表示画像Ｇ１３２，Ｇ１３４に表示される通話の開始予定時刻から、通話時間表示画像Ｇ１２４に表示される時間（たとえば、３０分）経過した時刻が表示される。なお、通話終了予定時刻表示画像Ｇ１４２，Ｇ１４４に表示される時刻は、開始予定時刻から通話時間表示画像Ｇ１２４に表示される通話時間が経過した時刻に限定されることはない。通話終了予定時刻表示画像Ｇ１４２，Ｇ１４４に表示される時刻は、たとえば、開始予定時刻から、通話時間（たとえば、３０分）より長い時間（たとえば、６０分）が経過した時刻（たとえば、２２時００分）が表示されてもよい。なお、通話終了予定時刻表示画像Ｇ１４２，Ｇ１４４に表示される時刻は、ユーザのボタン群５４６の操作により、任意の時刻に変更可能である。
【０１２７】
ユーザは、通話時間と一致させた通話開始予定時刻と通話終了予定時刻を設定することができる。また、ユーザは通話時間に対して通話開始予定時刻から通話終了予定時刻までの時間に余裕を持たせて、通話開始予定時刻と通話終了予定時刻を設定することもできる。たとえば、ユーザは、３０分間の通話を予定している場合、通話開始予定時刻を２１時００分、通話終了予定時刻を２１時３０分に設定し、通話時間と一致させた設定をすることができる。
【０１２８】
また、たとえば、ユーザは、３０分間の通話を予定している場合、通話開始予定時刻を２１時００分、通話終了予定時刻を２２時００分に設定し、２１時００分から２２時００分までの間に３０分間の通話を行うといったように、通話時間に対して通話開始予定時刻から通話終了予定時刻までの時間に余裕を持たせた設定をすることができる。
【０１２９】
通話開始ボタン画像Ｇ１５０は、発呼条件設定画像Ｇ１００に表示される各項目に基づいて、制御部５１０に発呼処理をさせるためのボタン画像である。
【０１３０】
通話開始ボタン画像Ｇ１５０の押下操作があると、制御部５１０は、表示部５３０に表示されていた発呼条件設定画像Ｇ１００を、表示部５３０から消去する。通話開始ボタン画像Ｇ１５０の押下操作は、通話開始ボタン画像Ｇ１５０を押下するための、ユーザによるボタン群５４６の操作である。そして、制御部５１０は、発呼開始プログラムの実行を終了する。
【０１３１】
終了ボタン画像Ｇ１５２の押下操作があると、制御部５１０は、表示部５３０に表示されていた発呼条件設定画像Ｇ１００を、表示部５３０から消去する。終了ボタン画像Ｇ１５２の押下操作は、終了ボタン画像Ｇ１５２を押下するための、ユーザによるボタン群５４６の操作である。そして、制御部５１０は、発呼開始プログラムの実行を終了する。
【０１３２】
前述の発呼開始プログラムの実行と同時に、制御部５１０は、プログラム１８０の発呼側処理プログラムも実行する。なお、発呼側処理プログラムは、発呼開始プログラムとは独立して並列的に実行される。以下においては、発呼側処理プログラムの実行により行なわれる処理を発呼側処理ともいう。なお、本実施の形態では、通信端末装置５００が、通信端末装置６００に対して発呼処理を行なうとする。この場合、通信端末装置５００は、発呼側装置、すなわち、発呼装置となる。
【０１３３】
図７は、発呼側処理のフローチャートである。図７を参照して、ステップＳ１１０では、制御部５１０が、発呼操作があるか否かを判定する。発呼操作は、通話開始ボタン画像Ｇ１５０を押下するための、ユーザのボタン群５４６の操作である。ステップＳ１１０において、ＹＥＳならば、ステップＳ１１２に進む。一方、ステップＳ１１０において、ＮＯならば、再度、ステップＳ１１０の処理が行なわれる。
【０１３４】
ステップＳ１１２では、制御部５１０が、発呼時設定項目を、一時記憶部５２２に記憶させる。ここで、発呼時設定項目とは、通話開始ボタン画像Ｇ１５０を押下する処理が行なわれた時点における、発呼条件設定画像Ｇ１００に表示されている各項目である。発呼時設定項目には、通話相手の登録名、通話相手の電話番号、発呼側通話レベル、通話方法、通話時間、通話開始予定時刻および通話終了予定時刻が含まれる。
【０１３５】
なお、既に、発呼時設定項目が一時記憶部５２２に記憶されている場合、制御部５１０は、一時記憶部５２２に記憶されている発呼時設定項目に対し、最新の発呼時設定項目で上書き記憶させる。したがって、一時記憶部５２２には、最新の発呼時設定項目が記憶されることになる。その後、ステップＳ１２０に進む。
【０１３６】
ステップＳ１２０では、現在時刻が、通話開始予定時刻以降であるか否かが判定される。具体的には、制御部５１０が、ステップＳ１２０の時点で時刻算出部５１０Ａにより算出された現在時刻（たとえば、２１時００分）が、発呼条件設定画像Ｇ１００において設定された通話開始予定時刻（たとえば、２１時００分）以降であるか否かを判定する。ステップＳ１２０において、ＹＥＳならば、ステップＳ１２２に進む。一方、ステップＳ１２０において、ＮＯならば、再度、ステップＳ１２０の処理が行なわれる。
【０１３７】
ステップＳ１２２では、通話終了予定時刻から通話時間前の時刻が現在時刻以降であるか否かが判定される。具体的には、制御部５１０が、呼条件設定画像Ｇ１００において設定された通話終了予定時刻（たとえば、２１時３０分）から呼条件設定画像Ｇ１００において設定された通話時間（たとえば、３０分）前の時刻（たとえば、２１時００分）が、現在時刻より前の時刻であるか否かが判定される。ここで、現在時刻は、ステップＳ１２０の時点で時刻算出部５１０Ａにより算出された現在時刻（たとえば、２１時００分）である。
【０１３８】
ステップＳ１２２において、ＹＥＳならば、ステップＳ１２２Ａに進む。ステップＳ１２２において、ＹＥＳの場合は、たとえば、通話終了予定時刻が２１時３０分で、通話時間が４０分であり、現在時刻が２１時００分である場合である。一方、ステップＳ１２２において、ＮＯならば、後述するステップＳ１３０に進む。
【０１３９】
ステップＳ１２２Ａでは、エラー表示処理が行なわれる。エラー表示処理では、制御部５１０が、表示部５３０に、エラーメッセージを表示させる処理を行なう。エラーメッセージは、たとえば、「通話時間または通話終了予定時刻の設定が正しくありません。通話時間または通話終了予定時刻を再設定してください」というメッセージである。そして、制御部５１０は、所定時間（たとえば、１０秒）経過後、表示部５３０に表示されているエラーメッセージを消去する。その後、ステップＳ１２２Ｂに進む。
【０１４０】
ステップＳ１２２Ｂでは、制御部５１０が、発呼開始プログラムを実行する。なお、発呼開始プログラムは、発呼側処理プログラムとは独立して並列的に実行される。発呼開始プログラムが実行されることにより、制御部５１０は、一時記憶部６２２に記憶させた発呼時設定項目を表示させた発呼条件設定画像Ｇ１００を表示部５３０に表示させる。すなわち、制御部５１０は、発呼操作が行なわれた時点の発呼条件設定画像Ｇ１００を、表示部５３０に表示させる。これにより、ユーザは、発呼側通話レベル、通話時間または通話終了予定時刻の再設定を行なうことが可能となる。そして、制御部５１０は、一時記憶部６２２に記憶させた発呼時設定項目を削除する。その後、再度、ステップＳ１１０の処理が行なわれる。
【０１４１】
前述のステップＳ１２２において、ＮＯならば、ステップＳ１３０に進む。
ステップＳ１３０では、制御部５１０が、状態情報取得要求を、通信端末装置６００へ送信する。ここで、状態情報取得要求とは、被呼側の装置の状態を示す情報（以下、被呼側状態情報ともいう）を取得するための要求である。本実施の形態における被呼側状態情報は、後述する被呼側通話レベル、被呼側通話可能時間および被呼側通話開始可能時刻の情報を含む。もちろん、本発明の被呼側状態情報はこれに限られたものではなく、さらに被呼側装置の使用状態などその他の情報を含んでいても良い。なお、被呼側状態情報は、プレゼンス情報ともいう。その後、後述するステップＳ１３２に進む。
【０１４２】
次に、被呼側装置である通信端末装置６００で行なわれる処理について説明する。通信端末装置６００では、電源がオンされた後、制御部６１０が、自動的にプログラム１８０Ａの被呼側処理プログラムを実行する。なお、被呼側処理プログラムは、自動的に実行されるのではなく，ユーザが、被呼側処理プログラム実行操作を行なった場合に実行されてもよい。ここで、被呼側処理プログラム実行操作とは、被呼側処理プログラムを制御部６１０に実行させるための、ユーザのマウス６２４またはキーボード６４４の操作である。以下においては、被呼側処理プログラムの実行により行なわれる処理を、被呼側処理ともいう。この場合、通信端末装置６００は、被呼側装置、すなわち、被呼装置となる。
【０１４３】
図８は、被呼側処理のフローチャートである。図８を参照して、ステップＳ２００では、被呼側状態情報設定処理が行なわれる。被呼側状態情報設定処理は、通信端末装置６００の被呼側状態情報を設定する処理である。
【０１４４】
図９は、被呼側状態情報設定処理のフローチャートである。図９を参照して、ステップＳ２１０では、状態情報収集処理が行なわれる。状態情報収集処理は、通信端末装置６００の使用状況の情報および通信端末装置６００に接続されている各装置の使用状況の情報を収集する処理である。
【０１４５】
図１０は、状態情報収集処理のフローチャートである。図１０を参照して、ステップＳ２１２では、ユーザが映像視聴中であるか否かが判定される。具体的には、制御部６１０が、表示部６３０に画像が表示されているか否かを判定する。ステップＳ２１２において、ＹＥＳならば、ステップＳ２１２Ａに進む。一方、ステップＳ２１２において、ＮＯならば、後述するステップＳ２２０に進む。
【０１４６】
ステップＳ２１２Ａでは、映像視聴レベル設定処理が行なわれる。映像視聴レベル設定処理では、制御部６１０が、以下に説明する被呼側状態設定テーブルＴ２００に基づいて、映像視聴レベルを設定する。被呼側状態設定テーブルＴ２００は、予め記憶部６２０に記憶されている。なお、映像視聴レベルの初期値は、“４”である。
【０１４７】
図１１は、一例としての被呼側状態設定テーブルＴ２００を示す図である。図１１を参照して、被呼側状態設定テーブルＴ２００の「映像視聴レベル」とは、表示部６３０に表示される画像に基づいて、映像の視聴度合いを決めるものである。「映像視聴レベル」は、被呼側状態設定テーブルＴ２００の「レベル」の列に表示される、後述する映像視聴状態に対応する行の数字に設定される。「映像視聴レベル」が設定されると、被呼側通話可能時間も設定される。被呼側通話可能時間とは、被呼側装置である通信端末装置６００が通話可能な時間である。
【０１４８】
再び、図１０を参照して、ステップＳ２１２Ａの映像視聴レベル設定処理では、まず、制御部６１０が、映像視聴状態判定処理を行なう。映像視聴状態判定処理では、制御部６１０が、映像視聴状態の判定処理を行なう。映像視聴状態とは、ユーザによる映像の視聴状態である。制御部６１０は、映像視聴状態が、テレビ視聴中、ＤＶＤ視聴中、有料番組視聴中およびその他のいずれであるかを判定する。テレビ視聴中とは、表示部６３０に表示されている画像が、チューナ６９２から受信したテレビジョンデータに基づく画像である場合の状態である。
【０１４９】
なお、制御部６１０が判定した映像視聴状態が、テレビ視聴中である場合、制御部６１０は、さらに、映像視聴状態が、ザッピング中、番組序盤視聴中、連続ドラマ視聴中、番組終盤視聴中およびＣＭ視聴中のいずれであるかの判定を行なう。
【０１５０】
番組序盤視聴中とは、表示部６３０に表示されている番組の開始時刻から、所定時間（たとえば、１０分）経過していない状態である。番組終盤視聴中とは、現在の時刻が、表示部６３０に表示されている番組の終了時刻と、当該終了時刻から所定時間（たとえば、１０分）前の時刻との間の時刻である状態である。
【０１５１】
ＣＭ視聴中とは、現在の時刻が、表示部６２０に表示されているＣＭの開始時刻と終了時刻との間の時刻である状態である。ザッピング中とは、所定時間（たとえば、２分）内に、チャンネルが変更された回数が所定回数（たとえば、３回）以上である状態である。
【０１５２】
映像視聴状態が、番組序盤視聴中、番組終盤視聴中およびＣＭ視聴中のいずれであるかの判定は、チューナ６９２が受信し、記憶部６２０に記憶されているＥＰＧデータに基づいて行なわれる。ＥＰＧデータには、番組の開始時刻、番組の終了時刻、ＣＭの開始時刻およびＣＭの終了時刻等のデータが含まれる。したがって、制御部６１０は、ＥＰＧデータに基づいて、映像視聴状態が、番組序盤視聴中、番組終盤視聴中およびＣＭ視聴中のいずれであるか判定することができる。
【０１５３】
なお、映像視聴状態が、連続ドラマ視聴中であるか否かの判定は、制御部６１０が、記憶部６２０に記憶されている視聴履歴データに基づいて行なう。視聴履歴データは、たとえば、過去１ヶ月間の番組の視聴履歴データである。視聴履歴データにおいて、現在表示部６３０に表示されている番組が、過去の同じ曜日の同じ時間帯に視聴された番組である場合、制御部６１０は、映像視聴状態が、連続ドラマ視聴中であると判定する。
【０１５４】
映像視聴状態が、ＤＶＤ視聴中であるか否かは、表示部６３０に表示されている画像が、ＤＶＤ再生装置７００Ｂから受信した画像であるか否かにより判定される。
【０１５５】
映像視聴状態が、有料番組視聴中であるか否かは、表示部６３０に表示されている画像が、ＳＴＢ７００Ａの動作に基づいて表示される画像であるか否かにより判定される。映像視聴状態がその他であるか否かは、映像視聴状態が上記のいずれにも該当しないときに判定される。
【０１５６】
以上説明した判定方法により、制御部６１０は、映像視聴状態の判定処理を行なう。そして、制御部６１０は、被呼側状態設定テーブルＴ２００に基づいて、判定した映像視聴状態より、映像視聴レベルを設定する。たとえば、制御部６１０は、判定した映像視聴状態が番組序盤視聴中である場合、映像視聴レベルを“２”に設定する。制御部６１０は、設定した映像視聴レベルを記憶部６２０に記憶させる。その後、ステップＳ２１４に進む。
【０１５７】
ステップＳ２１４では、映像視聴状態記憶処理が行なわれる。制御部６１０は、映像視聴状態が、ザッピング中、番組序盤視聴中、連続ドラマ視聴中、番組終盤視聴中、ＣＭ視聴中、ＤＶＤ視聴中、有料番組視聴中およびその他のいずれに該当するかを特定するための情報を、記憶部６２０に記憶させる。その後，ステップＳ２２０に進む。
【０１５８】
ステップＳ２２０では、照度レベル設定処理が行なわれる。照度レベル設定処理では、制御部６１０が、前述した被呼側状態設定テーブルＴ２００に基づいて、照度レベルを設定する。
【０１５９】
再び、図１１を参照して、被呼側状態設定テーブルＴ２００の「照度レベル」とは、照明装置７００Ｃ自身が発する光の強さに基づいて設定される。「照度レベル」は、被呼側状態設定テーブルＴ２００の「レベル」の列に表示される、照明装置７００Ｃ自身が発する光の強さに対応する行の数字に設定される。
【０１６０】
再び、図１０を参照して、ステップＳ２２０の照度レベル設定処理では、まず、制御部６１０が、照明装置７００Ｃから送信される照度データを受信する。制御部６１０は、受信した照度データに基づいて、照明装置７００Ｃ自身が発する光が所定レベルより暗いか否かを判定する。照明装置７００Ｃ自身が発する光が所定レベルより暗い場合、制御部６１０は、被呼側状態設定テーブルＴ２００に基づいて、照度レベルを“１”に設定する。一方、照明装置７００Ｃ自身が発する光が所定レベル以上の明るさである場合、制御部６１０は、被呼側状態設定テーブルＴ２００に基づいて、照度レベルを“３”に設定する。制御部６１０は、設定した照度レベルを記憶部６２０に記憶させる。その後、ステップＳ２３０に進む。
【０１６１】
ステップＳ２３０では、調理器具使用レベル設定処理が行なわれる。調理器具使用レベル設定処理では、制御部６１０が、前述した被呼側状態設定テーブルＴ２００に基づいて、調理器具使用レベルを設定する。
【０１６２】
再び、図１１を参照して、被呼側状態設定テーブルＴ２００の「調理器具使用レベル」とは、調理装置７００Ｄの火力の強さに基づいて設定される。「調理器具使用レベル」は、被呼側状態設定テーブルＴ２００の「レベル」の列に表示される、調理装置７００Ｄの火力の強さに対応する行の数字に設定される。
【０１６３】
再び、図１０を参照して、ステップＳ２３０の調理器具使用レベル設定処理では、まず、制御部６１０が、調理装置７００Ｄから送信される火力データを受信する。制御部６１０は、受信した火力データに基づいて、調理装置７００Ｄの火力の強さが、火力ゼロ、火力弱および火力強のいずれであるかを判定する。制御部６１０は、調理装置７００Ｄの火力の強さを、たとえば、火力弱と判定すると、被呼側状態設定テーブルＴ２００に基づいて、調理器具使用レベルを“１”に設定する。制御部６１０は、設定した調理器具使用レベルを記憶部６２０に記憶させる。その後、ステップＳ２４０に進む。
【０１６４】
ステップＳ２４０では、雑音レベル設定処理が行なわれる。雑音レベル設定処理では、制御部６１０が、前述した被呼側状態設定テーブルＴ２００に基づいて、雑音レベルを設定する。
【０１６５】
再び、図１１を参照して、被呼側状態設定テーブルＴ２００の「雑音レベル」とは、音声入力部６７２から入力される音の大きさに基づいて設定される。「雑音レベル」は、被呼側状態設定テーブルＴ２００の「レベル」の列に表示される、音声入力部６７２から入力される音の大きさに対応する行の数字に設定される。
【０１６６】
再び、図１０を参照して、ステップＳ２４０の雑音レベル設定処理では、まず、制御部６１０が、音声入力部６７２から受信した音声データに基づいて、通信端末装置６００の周辺の音声（雑音）の大きさが、大きい、通常および小さいのいずれであるかを判定する。制御部６１０は、通信端末装置６００の周辺の音声（雑音）の大きさを、たとえば、「小さい」と判定すると、被呼側状態設定テーブルＴ２００に基づいて、雑音レベルを“２”に設定する。制御部６１０は、設定した雑音レベルを記憶部６２０に記憶させる。その後、この状態情報収集処理は終了し、図９の被呼側状態情報設定処理に戻り、ステップＳ２１０の次のステップＳ２２０に進む。
【０１６７】
ステップＳ２２０では、通話レベル・通話可能時間設定処理が行なわれる。
図１２は、通話レベル・通話可能時間設定処理のフローチャートである。図１２を参照して、ステップＳ２２２では、被呼側通話レベルの設定が行なわれる。被呼側通話レベルとは、通信端末装置６００の通話方法を特定するものである。なお、被呼側通話レベルは、値が小さい程、かかってきた電話を被呼者がうけにくい状態であることを示す。被呼側通話レベルは、以下の被呼側通話レベルテーブルＴ２１０により予め設定されている。なお、被呼側通話レベルは、プレゼンスレベルともいう。
【０１６８】
図１３は、一例としての被呼側通話レベルテーブルＴ２１０を示す図である。図１３を参照して、被呼側通話レベルは、“０”〜“３”のいずれかの値に設定される。被呼側通話レベルテーブルＴ２１０の短時間音声電話、長時間音声電話およびテレビ電話は、それぞれ、図６で説明した短時間音声電話、長時間音声電話およびテレビ電話と同様なので詳細な説明は繰り返さない。
【０１６９】
被呼側通話レベルが“０”に設定されている場合、通信端末装置６００は、電話を受ける処理および電話をかける処理も不可となる。通信端末装置６００は、被呼側通話レベルが“１”、“２”および“３”に設定されている場合、それぞれ、短時間音声電話、長時間音声電話およびテレビ電話を行なうことができる。
【０１７０】
再び、図１２を参照して、ステップＳ２２２では、被呼側通話レベルに、記憶部６２０に記憶されている映像視聴レベルが設定される。映像視聴レベルが、たとえば、“３”である場合、被呼側通話レベルは、“３”に設定される。その後、ステップＳ２２２Ａに進む。
【０１７１】
ステップＳ２２２Ａでは、被呼側通話可能時間の設定が行なわれる。具体的には、制御部６１０が、図１１の被呼側状態設定テーブルＴ２００と記憶部６２０に記憶されている映像視聴状態を特定するための情報とに基づいて、被呼側通話可能時間の設定を行なう。たとえば、映像視聴状態が、連続ドラマ視聴中である場合、制御部６１０は、被呼側状態設定テーブルＴ２００により、被呼側通話可能時間を、“１”分に設定する。その後、ステップＳ２２３に進む。
【０１７２】
ステップＳ２２３では、被呼側通話レベルが、前述した処理により設定された照度レベルより大きいか否かが判定される。ステップＳ２２３において、ＹＥＳならば、ステップＳ２２３Ａに進む。一方、ステップＳ２２３において、ＮＯならば、ステップＳ２２４に進む。
【０１７３】
ステップＳ２２３Ａでは、制御部６１０が、被呼側通話レベルを、前述した処理により設定した照度レベルに設定する。その後、ステップＳ２２３Ｂに進む。
【０１７４】
ステップＳ２２３Ｂでは、被呼側通話可能時間の設定が行なわれる。具体的には、制御部６１０が、図１１の被呼側状態設定テーブルＴ２００と記憶部６２０に記憶されている照度レベルとに基づいて、被呼側通話可能時間の設定を行なう。たとえば、照度レベルが、“１”に設定されている場合、制御部６１０は、被呼側状態設定テーブルＴ２００により、被呼側通話可能時間を、“３”分に設定する。その後、ステップＳ２２４に進む。
【０１７５】
ステップＳ２２４では、被呼側通話レベルが、前述した処理により設定された調理器具使用レベルより大きいか否かが判定される。ステップＳ２２４において、ＹＥＳならば、ステップＳ２２４Ａに進む。一方、ステップＳ２２４において、ＮＯならば、ステップＳ２２５に進む。
【０１７６】
ステップＳ２２４Ａでは、制御部６１０が、被呼側通話レベルを、前述した処理により設定した調理器具使用レベルに設定する。その後、ステップＳ２２４Ｂに進む。
【０１７７】
ステップＳ２２４Ｂでは、被呼側通話可能時間の設定が行なわれる。具体的には、制御部６１０が、図１１の被呼側状態設定テーブルＴ２００と記憶部６２０に記憶されている調理器具使用レベルとに基づいて、被呼側通話可能時間の設定を行なう。たとえば、調理器具使用レベルが、“０”に設定されている場合、制御部６１０は、被呼側状態設定テーブルＴ２００により、被呼側通話可能時間を、“０”分に設定する。その後、ステップＳ２２５に進む。
【０１７８】
ステップＳ２２５では、被呼側通話レベルが、前述した処理により設定された雑音レベルより大きいか否かが判定される。ステップＳ２２５において、ＹＥＳならば、ステップＳ２２５Ａに進む。一方、ステップＳ２２５において、ＮＯならば、この通話レベル・通話可能時間設定処理は終了する。その後、図９の被呼側状態情報設定処理に戻り、この被呼側状態情報設定処理も終了し、図８の被呼側処理に戻り、ステップＳ２００の次のステップＳ３００に進む。
【０１７９】
ステップＳ２２５Ａでは、制御部６１０が、被呼側通話レベルを、前述した処理により設定した雑音レベルに設定する。その後、ステップＳ２２５Ｂに進む。
【０１８０】
ステップＳ２２５Ｂでは、被呼側通話可能時間の設定が行なわれる。具体的には、制御部６１０が、図１１の被呼側状態設定テーブルＴ２００と記憶部６２０に記憶されている雑音レベルとに基づいて、被呼側通話可能時間の設定を行なう。たとえば、雑音レベルが、“２”に設定されている場合、制御部６１０は、被呼側状態設定テーブルＴ２００により、被呼側通話可能時間を、“５”分に設定する。
【０１８１】
その後、この通話レベル・通話可能時間設定処理は終了する。通話レベル・通話可能時間設定処理により、被呼側通話レベルは、映像視聴レベル、照度レベル、調理器具使用レベルおよび雑音レベルの各々に設定された値のうち、最も小さい値が設定される。
【０１８２】
その後、図９の被呼側状態情報設定処理に戻り、この被呼側状態情報設定処理も終了し、図８の被呼側処理に戻り、ステップＳ２００の次のステップＳ３００に進む。
【０１８３】
ステップＳ３００では、通話開始可能時刻設定処理が行なわれる。通話開始可能時刻設定処理とは、被呼側通話開始可能時刻を設定する処理である。被呼側通話開始可能時刻とは、被呼側の装置（通信端末装置６００）において、通話の開始が可能となる時刻である。なお、被呼側通話開始可能時刻の初期値は、ＮＵＬＬ値が設定されている。
【０１８４】
図１４は、通話開始可能時刻設定処理のフローチャートである。図１４を参照して、ステップＳ３１０では、テレビ視聴中であるか否かが判定される。具体的には、制御部６１０が、記憶部６２０に記憶されている映像視聴状態が、ザッピング中、番組序盤視聴中、連続ドラマ視聴中、番組終盤視聴中およびＣＭ視聴中のいずれかであるか否かを判定する。すなわち、制御部６１０は、映像視聴状態が、テレビ視聴中であるか否かを判定する。ステップＳ３１０において、ＹＥＳならば、ステップＳ３１４に進む。一方、ステップＳ３１０において、ＮＯならば、後述するステップＳ３２０に進む。
【０１８５】
ステップＳ３１４では、通話開始可能時刻の設定が行なわれる。具体的には、制御部６１０が、記憶部６２０に記憶されているＥＰＧデータに基づいて、被呼側通話開始可能時刻を、現在視聴中の番組の終了時刻に設定する。なお、被呼側通話開始可能時刻は、現在視聴中の番組の終了時刻に限定されることなく、たとえば、現在視聴中のＣＭの終了時刻であってもよい。その後、ステップＳ３９０に進む。
【０１８６】
ステップＳ３９０では、制御部６１０が、被呼側通話開始可能時刻を、記憶部６２０に記憶させる。その後、この通話開始可能時刻設定処理は終了し、図８の被呼側処理に戻り、ステップＳ３００の次のステップＳ４００に進む。
【０１８７】
前述のステップＳ３１０において、ＮＯならば、ステップＳ３２０に進む。
ステップＳ３２０では、ＤＶＤ視聴中であるか否かが判定される。具体的には、制御部６１０が、記憶部６２０に記憶されている映像視聴状態が、ＤＶＤ視聴中であるか否かを判定する。ステップＳ３２０において、ＹＥＳならば、ステップＳ３２２に進む。一方、ステップＳ３２０において、ＮＯならば、後述するステップＳ３３０に進む。
【０１８８】
ステップＳ３２２では、ＤＶＤの再生終了予定時刻の設定が行なわれる。具体的には、制御部６１０が、ＤＶＤ再生装置７００Ｂから前述のＤＶＤ再生情報を受信するための要求指示を、ＤＶＤ再生装置７００Ｂへ送信する。そして、制御部６１０は、ＤＶＤ再生装置７００Ｂから、ＤＶＤ再生情報を受信する。ＤＶＤ再生情報には、前述したように、ＤＶＤの再生可能時間、現在のＤＶＤの再生位置の情報、ＤＶＤのタイトルの情報等が含まれる。
【０１８９】
制御部６１０は、時刻算出部５１０Ａにより算出された現在時刻と、ＤＶＤの再生可能時間と、現在のＤＶＤの再生位置の情報とに基づいて、ＤＶＤの再生終了予定時刻を判定する。たとえば、現在時刻が２１時００分であるとし、ＤＶＤの再生可能時間が１２０分であるとし、現在のＤＶＤの再生位置が、再生開始可能な位置から１１０分経過した位置であるとする。したがって、制御部６１０は、ＤＶＤの再生は、１２０−１１０より、現在の時刻（２１時００分）から１０分後に終了することを判定できる。その結果、制御部６１０は、ＤＶＤの再生終了予定時刻を、２１時１０分に設定する。その後、ステップＳ３２４に進む。
【０１９０】
ステップＳ３２４では、通話開始可能時刻の設定が行なわれる。具体的には、制御部６１０が、被呼側通話開始可能時刻を、ＤＶＤの再生終了予定時刻に設定する。その後、前述したステップＳ３９０に進む。
【０１９１】
前述のステップＳ３２０において、ＮＯならば、ステップＳ３３０に進む。
ステップＳ３３０では、有料番組視聴中であるか否かが判定される。具体的には、制御部６１０が、記憶部６２０に記憶されている映像視聴状態が、有料番組視聴中であるか否かを判定する。ステップＳ３３０において、ＹＥＳならば、ステップＳ３３２に進む。一方、ステップＳ３３０において、ＮＯならば、前述したステップＳ３９０に進む。なお、ステップＳ３３０において、ＮＯと判定された場合、被呼側通話開始可能時刻には、ＮＵＬＬ値が設定された状態となる。
【０１９２】
ステップＳ３３２では、有料番組の終了予定時刻の設定が行なわれる。具体的には、制御部６１０が、ＳＴＢ７００Ａから前述の有料番組情報を受信するための要求指示を、ＳＴＢ７００Ａへ送信する。そして、制御部６１０は、ＳＴＢ７００Ａから、有料番組情報を受信する。有料番組情報には、前述したように、有料番組のタイトル、有料番組の内容、有料番組の開始時刻、有料番組の終了時刻等の情報等が含まれる。したがって、制御部６１０は、有料番組の終了予定時刻を、受信した有料番組の終了時刻に設定する。その後、ステップＳ３３４に進む。
【０１９３】
ステップＳ３３４では、通話開始可能時刻の設定が行なわれる。具体的には、制御部６１０が、被呼側通話開始可能時刻を、有料番組の終了予定時刻に設定する。その後、前述したステップＳ３９０に進む。
【０１９４】
以上の処理により、被呼側の装置（通信端末装置６００）において、通話の開始が可能となる被呼側通話開始可能時刻が設定される。
【０１９５】
ステップＳ３９０の処理が終了すると、この通話開始可能時刻設定処理は終了し、図８の被呼側処理に戻り、ステップＳ３００の次のステップＳ４００に進む。
【０１９６】
ステップＳ４００では、制御部６１０が、通信端末装置５００から送信される前述の状態情報取得要求を受信したか否かを判定する。ステップＳ４００において、ＹＥＳならば、ステップＳ４１０に進む。なお、状態情報取得要求を受信した場合、状態情報取得要求を送信した通信端末装置の電話番号も制御部６１０は取得する。一方、ステップＳ４００において、ＮＯならば、後述するステップＳ４２０に進む。
【０１９７】
ステップＳ４１０では、要求相手への情報送信が許可されているか否かが判定される。具体的には、制御部６１０が、以下に説明する情報送信許可テーブルＴ３００に基づいて、要求相手へ情報の送信が許可されているか否かを判定する。情報送信許可テーブルＴ３００は、予め、ユーザが、マウス６４２またはキーボード６４４の操作により設定した情報を示すテーブルである。また、情報送信許可テーブルＴ３００は、記憶部６２０に記憶されている。
【０１９８】
図１５は、一例としての情報送信許可テーブルＴ３００を示す図である。図１５を参照して、情報送信許可テーブルＴ３００の「情報送信」の列の「不許可」は、対応する電話番号の通信端末装置に情報を送信することが許可されていないことを示す。また、情報送信許可テーブルＴ３００に登録されていない電話番号の通信端末装置にも情報を送信することが許可されない。
【０１９９】
また、情報送信許可テーブルＴ３００の「情報送信」の列の「許可」は、対応する電話番号の通信端末装置に情報を送信することが許可されていることを示す。
【０２００】
再び、図８を参照して、ステップＳ４１０では、制御部６１０は、ステップＳ４００において取得した通信端末装置の電話番号が、情報送信許可テーブルＴ３００に存在し、かつ、情報の送信が「許可」である電話番号であるか否かが判定される。ステップＳ４１０において、ＹＥＳならば、ステップＳ４１２に進む。一方、ステップＳ４１０において、ＮＯならば、後述するステップＳ４２０に進む。
【０２０１】
ステップＳ４１２では、制御部６１０は、記憶部６２０に記憶された被呼側通話レベル、被呼側通話可能時間および被呼側通話開始可能時刻の情報を読出し被呼側通話レベル、被呼側通話可能時間および被呼側通話開始可能時刻の情報を含む被呼側状態情報を生成する。その後、ステップＳ４１４に進む。
【０２０２】
ステップＳ４１４では、制御部６１０が、生成した被呼側状態情報を、状態情報取得要求を送信した通信端末装置５００へ送信する。その後、後述するステップＳ４２０に進む。
【０２０３】
以上の、ステップＳ４１０，Ｓ４１２，Ｓ４１４の処理が行なわれることで、許可された装置のみに情報を送信することになるので、意図しない装置に知られたくない情報を知られるのを防ぐことができるという効果を奏する。
【０２０４】
次に、状態情報取得要求を送信した通信端末装置５００で行なわれる処理について説明する。
【０２０５】
再び、図７を参照して、前述のステップＳ１３０の処理の後、ステップＳ１３２に進む。
【０２０６】
ステップＳ１３２では、被呼側状態情報を受信したか否かが判定される。具体的には、制御部５１０が、ステップＳ１３０で状態情報取得要求の送り先となった通信端末装置（通信端末装置６００）から、被呼側状態情報を受信したか否かを判定する。ステップＳ１３２において、ＹＥＳならば、ステップＳ１３４に進む。一方、ステップＳ１３２において、ＮＯならば、再度、ステップＳ１３２の処理が行なわれる。
【０２０７】
ステップＳ１３４では、通話レベルが一致するか否かが判定される。具体的には、制御部５１０が、一時記憶部６２２に記憶されている発呼時設定項目に含まれる発呼側通話レベルと、受信した被呼側状態情報に含まれる被呼側通話レベルとが一致するか否かを判定する。ステップＳ１３４において、ＹＥＳならば、ステップＳ１３６に進む。一方、ステップＳ１３４において、ＮＯならば、後述するステップＳ１６２に進む。
【０２０８】
ステップＳ１３６では、希望通話時間が、被呼側通話可能時間以下であるか否かが判定される。ここで、希望通話時間とは、通信端末装置５００が希望する通話時間である。すなわち、希望通話時間は、一時記憶部６２２に記憶されている発呼時設定項目に含まれる通話時間である。具体的には、希望通話時間が、受信した被呼側状態情報に含まれる被呼側通話可能時間以下であるか否かが、制御部５１０により判定される。
【０２０９】
ステップＳ１３６において、ＹＥＳならば、ステップＳ１４０に進む。一方、ステップＳ１３６において、ＮＯならば、前述したステップＳ１２２Ａに進む。
【０２１０】
ステップＳ１２２Ａでは、エラー表示処理が行なわれる。エラー表示処理では、制御部５１０が、表示部５３０に、エラーメッセージを表示させる処理を行なう。エラーメッセージは、たとえば、「相手の通話可能時間より、希望する通話時間が長く設定されています。通話時間を再設定してください」というメッセージである。そして、制御部５１０は、所定時間（たとえば、１０秒）経過後、表示部５３０に表示されているエラーメッセージを消去する。その後、ステップＳ１２２Ｂに進む。
【０２１１】
ステップＳ１４０では、発呼処理が行なわれる。発呼処理では、制御部５１０が、一時記憶部６２２に記憶されている発呼時設定項目に含まれる発呼側通話レベルおよび通話相手の電話番号に基づいて、電話をかける処理を行なう。発呼側通話レベルが、たとえば、“３”であれば、制御部５１０は、通話相手の電話番号の通信端末装置６００に対し、テレビ電話をかける。その後、後述するステップＳ１４２に進む。
【０２１２】
次に、電話をかけられた通信端末装置６００で行なわれる処理について説明する。
再び、図８を参照して、前述のステップＳ４１４の処理が終了すると、ステップＳ４２０に進む。
【０２１３】
ステップＳ４２０では、着呼があるか否かが判定される。具体的には、制御部６１０が、着呼があるか否かを判定する。ステップＳ４２０において、ＹＥＳならば、ステップＳ４２２に進む。一方、ステップＳ４２０において、ＮＯならば、再度、ステップＳ２００の処理が行なわれる。
【０２１４】
ステップＳ４２２では、着呼画像生成処理が行なわれる。着呼画像生成処理では、制御部６１０が、記憶部６２０に記憶された被呼側通話レベルに基づいて、着呼画像の生成を行なう。
【０２１５】
図１６は、着呼画像を示す図である。図１６（Ａ）は、被呼側通話レベルが“０”の場合に、制御部６１０が生成する着呼画像Ｇ２１０である。以下においては、ステップＳ４２２の処理が行なわれる時点で、表示部６３０に表示されている画像を、表示画像ともいう。着呼画像Ｇ２１０は、表示画像である。
【０２１６】
被呼側通話レベルが“０”ということは、映像視聴状態が、たとえば、有料番組視聴中である場合である。この場合、着呼画像Ｇ２１０は、有料番組の画像である。すなわち、ユーザが有料番組を視聴中である場合のように、着呼のあった電話にでたくないときは、ユーザに着呼があった旨を知らせる表示は行なわない。
【０２１７】
図１６（Ｂ）は、被呼側通話レベルが“１”の場合に、制御部６１０が生成する着呼画像Ｇ２２０である。着呼画像Ｇ２２０は、表示画像上に、電話アイコン画像Ｇ２２２が配置された画像である。電話アイコン画像Ｇ２２２は、着呼した旨をユーザに知らせるための画像である。なお、電話アイコン画像Ｇ２２２は、所定時間（たとえば、５秒）経過後に消去される。
【０２１８】
被呼側通話レベルが“１”ということは、映像視聴状態が、たとえば、連像ドラマ視聴中である場合である。この場合、着呼画像Ｇ２１０は、連続ドラマのテレビ画像に、電話アイコン画像Ｇ２２２が配置された画像となる。電話アイコン画像Ｇ２２２により、ユーザは着呼した旨を知ることができる。したがって、ユーザは、連像ドラマの視聴の邪魔をされることなく、着呼していることを知ることができるという効果を奏する。
【０２１９】
被呼側通話レベルが“１”ということは、たとえば、調理器具使用レベルが“１”のときもある。この場合、ユーザは、調理中であることになる。したがって、ユーザは、調理の邪魔をされることなく、着呼していることを知ることができるという効果を奏する。
【０２２０】
図１６（Ｃ）は、被呼側通話レベルが“２”の場合に、制御部６１０が、生成する着呼画像Ｇ２３０である。着呼画像Ｇ２３０は、表示画像上に、メッセージ画像Ｇ２３２が配置された画像である。メッセージ画像Ｇ２３２には、着呼した旨を知らせるための詳細な着呼メッセージが表示される。着呼メッセージには、たとえば、電話をかけてきた相手と、音声電話かテレビ電話かを示す情報が表示される。したがって、着呼メッセージは、たとえば、「太郎から音声電話です。」というメッセージである。なお、メッセージ画像Ｇ２３２は、前述した処理により設定された被呼側通話可能時間を経過すると、消去される。
【０２２１】
被呼側通話レベルが“２”ということは、映像視聴状態が、たとえば、番組終盤視聴中である場合である。すなわち、被呼側通話レベルが“２”ということは、そのときのユーザの状態は、着呼のあった電話に出てもさしつかえのない状態である。
【０２２２】
図１６（Ｄ）は、被呼側通話レベルが“３”の場合に、制御部６１０が、生成する着呼画像Ｇ２４０である。着呼画像Ｇ２３０は、表示画像上に、メッセージ画像Ｇ２４２が配置された画像である。
【０２２３】
メッセージ画像Ｇ２４２には、着呼した旨を知らせるための詳細な着呼メッセージＡが表示される。メッセージ画像Ｇ２４２は、前述のメッセージ画像Ｇ２３２と比較して、表示部６３０を占有する面積が大きい。着呼メッセージＡには、メッセージ画像Ｇ２３２の着呼メッセージと比較して、電話をかけてきた相手と、音声電話かテレビ電話かを示す情報に加え、電話を受ける旨を促すメッセージが表示される。したがって、着呼メッセージＡは、たとえば、「太郎からテレビ電話です。リモコンで受話操作をして下さい。」というメッセージである。なお、メッセージ画像Ｇ２４２は、受話操作が行なわれるまで継続して表示される。
【０２２４】
被呼側通話レベルが“３”ということは、映像視聴状態が、たとえば、ザッピング中である場合である。すなわち、被呼側通話レベルが“３”ということは、そのときのユーザの状態は、比較的暇な状態である。
【０２２５】
再び、図８を参照して、ステップＳ４２２の処理の後、ステップＳ４２４に進む。
ステップＳ４２４では、制御部６１０が、ステップＳ４２２において生成した着呼画像を表示部６３０に表示させる処理を行なう。なお、表示部６３０に表示される着呼画像が、着呼画像Ｇ２２０である場合、制御部６１０は、電話アイコン画像Ｇ２２２を、所定時間（たとえば、５秒）経過後に消去する。また、表示部６３０に表示される着呼画像が、着呼画像Ｇ２３０である場合、制御部６１０は、設定された被呼側通話可能時間を経過すると、メッセージ画像Ｇ２３２を消去する。
【０２２６】
なお、表示部６３０に表示される着呼画像が、着呼画像Ｇ２２０、着呼画像Ｇ２３０および着呼画像Ｇ２４０のいずれかである場合、制御部６１０が、音声出力部６７４から、着呼した旨を報知するための音声を出力してもよい。その後、ステップＳ４２６に進む。
【０２２７】
ステップＳ４２６では、制御部６１０が、受話操作があるか否かを判定する。ここで、受話操作とは、着呼している電話を受話するための、ユーザのリモコン６６２、マウス６２４またはキーボード６４４の操作である。
【０２２８】
ステップＳ４２６において、ＹＥＳならば、後述するステップＳ４２８に進む。この場合、通信端末装置６００と通信端末装置５００とは通話中となる。一方、ステップＳ４２６において、ＮＯならば、後述するステップＳ４３０に進む。
【０２２９】
次に、通信端末装置５００で行なわれる処理について説明する。
再び、図７を参照して、ステップＳ１４０の処理の後、ステップＳ１４２に進む。
【０２３０】
ステップＳ１４２では、制御部５１０が、通話が開始したか否かを判定する。具体的には、制御部５１０が、発呼した通信端末装置６００と、通話が開始されたか否かを判定する。ステップＳ１４２において、ＹＥＳならば、ステップＳ１４４に進む。この場合、通信端末装置６００と通信端末装置５００とは通話中となる。一方、ステップＳ１４２において、ＮＯならば、再度、ステップＳ１４２の処理が行なわれる。
【０２３１】
ステップＳ１４４では、制御部５１０が、通話終了状態であるか否かを判定する。通話終了状態とは、通信端末装置６００と通信端末装置５００との間の通話が終了した状態である。通話終了状態は、通信端末装置５００および通信端末装置６００のいずれかにおいて、通話終了操作があった場合に生じる。
【０２３２】
通信端末装置５００の通話終了操作とは、通話を終了するための、ユーザのボタン群５４６の操作である。通信端末装置６００の通話終了操作とは、通話を終了するための、ユーザのリモコン６６２、マウス６２４またはキーボード６４４の操作である。
【０２３３】
ステップＳ１４４において、ＹＥＳならば、前述したステップＳ１２２Ｂに進む。一方、ステップＳ１４４において、ＮＯならば、再度、ステップＳ１４４の処理が行なわれる。
【０２３４】
次に、通信端末装置６００で行なわれる処理について説明する。
再び、図８を参照して、前述のステップＳ４２６において、ＹＥＳならば、後述するステップＳ４２８に進む。
【０２３５】
ステップＳ４２８では、制御部６１０が、通話終了状態であるか否かを判定する。通話終了状態とは、前述したように、通信端末装置６００と通信端末装置５００との間の通話が終了した状態である。ステップＳ４２８において、ＹＥＳならば、再度、ステップＳ２００の処理が行なわれる。一方、ステップＳ４２８において、ＮＯならば、再度、ステップＳ４２８の処理が行なわれる。
【０２３６】
前述するステップＳ４２６において、ＮＯならば、ステップＳ４３０に進む。
ステップＳ４３０では、制御部６１０が、ステップＳ４２４の処理が開始された時刻から、設定された被呼側通話可能時間（たとえば、５分）、経過したか否かが判定される。ステップＳ４３０において、ＹＥＳならば、再度、ステップＳ２００の処理が行なわれる。一方、ステップＳ４３０において、ＮＯならば、再度、ステップＳ４３０の処理が行なわれる。
【０２３７】
次に、通信端末装置５００で行なわれる処理について説明する。
再び、図７を参照して、前述のステップＳ１３４において、ＮＯならば、ステップＳ１６２進む。
【０２３８】
ステップＳ１６２では、被呼側状態通知画像生成処理が行なわれる。被呼側状態通知画像生成処理では、制御部５１０が、被呼側通話開始可能時刻、発呼側通話レベルおよび被呼側通話レベルに基づいて、被呼側状態通知画像の生成を行なう。前述したように、発呼側通話レベルの情報は一時記憶部６２２に記憶されている発呼時設定項目に含まれる。また、被呼側通話レベルの情報は、受信した被呼側状態情報に含まれる。その後、後述するステップＳ１６４の処理が行なわれる。
【０２３９】
図１７は、被呼側状態通知画像を示す図である。図１７（Ａ）は、被呼側状態通知画像Ｇ３１０を示す図である。被呼側状態通知画像Ｇ３１０は、発呼側通話レベルが“３”で、被呼側通話レベルが“２”または“１”である場合に、制御部５１０が生成する画像である。被呼側状態通知画像Ｇ３１０には、通話相手表示画像Ｇ３１１と、発呼側通話レベル表示画像Ｇ３１２と、被呼側通話レベル表示画像Ｇ３１３と、メッセージ画像Ｇ３１４と、ボタン画像Ｇ３１８，Ｇ３１９とが配置される。
【０２４０】
通話相手表示画像Ｇ３１１には、通話相手の登録名と、通話相手の電話番号とが表示される。発呼側通話レベル表示画像Ｇ３１２には、発呼側通話レベルと、発呼側通話レベルに対応する通話方法（たとえば、テレビ電話）とが表示される。被呼側通話レベル表示画像Ｇ３１３には、被呼側通話レベルと、被呼側通話レベルに対応して許可される通話方法（たとえば、短時間音声電話）とが表示される。
【０２４１】
メッセージ画像Ｇ３１４には、発呼側通話レベルが“３”で、被呼側通話レベルが“２”または“１”である場合に、テレビ電話はできないが、音声電話ならできる旨のメッセージと、設定項目の変更を行なうか否かを問合せるメッセージ（以下、問合せメッセージともいう）とが表示される。
【０２４２】
ボタン画像Ｇ３１８は、メッセージ画像Ｇ３１４に表示されている問合せメッセージに合意する場合、押下操作されるボタン画像である。ここで、押下操作とは、ユーザのボタン群５４６による操作である。ボタン画像Ｇ３１９は、メッセージ画像Ｇ３１４に表示されている問合せメッセージに合意しない場合、押下操作されるボタン画像である。
【０２４３】
図１７（Ｂ）は、被呼側状態通知画像Ｇ３２０を示す図である。被呼側状態通知画像Ｇ３２０は、発呼側通話レベルに関わらず、被呼側通話レベルが“０”である場合に、制御部５１０が生成する画像である。被呼側状態通知画像Ｇ３２０は、被呼側状態通知画像Ｇ３１０と比較して、被呼側通話レベル表示画像Ｇ３１３の代わりに被呼側通話レベル表示画像Ｇ３２３が配置される点と、メッセージ画像Ｇ３１４の代わりにメッセージ画像Ｇ３２４が配置される点とが異なる。それ以外は、被呼側状態通知画像Ｇ３１０と同様なので詳細な説明は繰り返さない。
【０２４４】
被呼側通話レベル表示画像Ｇ３２３には、被呼側通話レベルと、電話が不可である旨が表示される。メッセージ画像Ｇ３２４には、発呼側通話レベルに関わらず、被呼側通話レベルが“０”である場合に、電話はできないが、被呼側通話開始可能時刻に通話可能となる旨のメッセージと、問合せメッセージとが表示される。
【０２４５】
この場合、ボタン画像Ｇ３１８は、メッセージ画像Ｇ３２４に表示されている問合せメッセージに合意する場合、押下操作されるボタン画像となる。また、ボタン画像Ｇ３１９は、メッセージ画像Ｇ３２４に表示されている問合せメッセージに合意しない場合、押下操作されるボタン画像となる。
【０２４６】
図１８は、被呼側状態通知画像Ｇ３３０を示す図である。図１８を参照して、被呼側状態通知画像Ｇ３３０は、発呼側通話レベルおよび被呼側通話レベルに関わらず、被呼側通話開始可能時刻がＮＵＬＬ値である場合に、制御部５１０が、生成する画像である。被呼側状態通知画像Ｇ３３０は、被呼側状態通知画像Ｇ３１０と比較して、メッセージ画像Ｇ３１４の代わりにメッセージ画像Ｇ３３４が配置される点が異なる。それ以外は、被呼側状態通知画像Ｇ３１０と同様なので詳細な説明は繰り返さない。
【０２４７】
メッセージ画像Ｇ３３４には、発呼側通話レベルおよび被呼側通話レベルに関わらず、被呼側通話開始可能時刻がＮＵＬＬ値である場合に、電話はできない旨のメッセージと、通話開始可能時刻が未定である旨のメッセージと、問合せメッセージとが表示される。
【０２４８】
この場合、ボタン画像Ｇ３１８は、メッセージ画像Ｇ３３４に表示されている問合せメッセージに合意する場合、押下操作されるボタン画像となる。また、ボタン画像Ｇ３１９は、メッセージ画像Ｇ３３４に表示されている問合せメッセージに合意しない場合、押下操作されるボタン画像となる。
【０２４９】
再び、図７を参照して、ステップＳ１６２の処理が終了すると、ステップＳ１６４に進む。
【０２５０】
ステップＳ１６４では、制御部５１０が、ステップＳ１６２において生成した被呼側状態通知画像を、表示部５３０に表示させる処理を行なう。表示部５３０に表示される被呼側状態通知画像は、たとえば、被呼側状態通知画像Ｇ３１０であるとする。その後、ステップＳ１６６に進む。
【０２５１】
ステップＳ１６６では、制御部５１０が、合意操作があるか否かを判定する。ここで、合意操作は、被呼側状態通知画像Ｇ３１０、被呼側状態通知画像Ｇ３２０または被呼側状態通知画像Ｇ３３０に表示されているボタン画像Ｇ３１８の押下操作である。ステップＳ１６６において、ＹＥＳならば、制御部５１０は、表示部５３０に表示している被呼側状態通知画像を消去して、前述のステップＳ１２２Ｂに進む。一方、ステップＳ１６６において、ＮＯならば、ステップＳ１６８に進む。
【０２５２】
ステップＳ１６８では、制御部５１０が、不合意操作があるか否かを判定する。ここで、不合意操作は、被呼側状態通知画像Ｇ３１０、被呼側状態通知画像Ｇ３２０または被呼側状態通知画像Ｇ３３０に表示されているボタン画像Ｇ３１９の押下操作である。ステップＳ１６８において、ＹＥＳならば、制御部５１０は、表示部５３０に表示している被呼側状態通知画像を消去して、この発呼側処理は終了する。一方、ステップＳ１６８において、ＮＯならば、再度、ステップＳ１６６の処理が行なわれる。
【０２５３】
なお、前述の図１１の被呼側状態設定テーブルＴ２００に示される複数の設定値（映像視聴レベル、照度レベル、調理器具使用レベルおよび騒音レベルと、被呼側通話可能時間）は任意に変更可能である。
【０２５４】
次に、被呼側状態設定テーブルＴ２００に示される複数の設定値を変更するための処理（以下、設定値変更処理という）について説明する。設定値変更処理は、設定値変更プログラム実行操作を行なった場合に行なわれる処理である。設定値変更プログラム実行操作とは、設定値変更プログラムを制御部６１０に実行させるための、ユーザのマウス６２４またはキーボード６４４の操作である。なお、設定値変更プログラムは、他のプログラムとは独立して並列的に実行される。したがって、設定値変更処理も他の処理とは独立して並列的に実行される。
【０２５５】
図１９は、設定値変更処理のフローチャートである。図１９を参照して、ステップＳ５１０では、設定値変更画像表示処理が行なわれる。設定値変更画像表示処理では、制御部６１０が、被呼側状態設定テーブルＴ２００に基づいて設定値変更画像を生成し、表示部６３０に表示させる処理を行なう。その後、ステップＳ５１２に進む。
【０２５６】
図２０は、一例としての設定値変更画像Ｇ５００を示す図である。図２０を参照して、設定値変更画像Ｇ５００には、設定値表示画像Ｇ５１０と、ボタン画像Ｇ５１８，Ｇ５１９とが配置される。
【０２５７】
設定値表示画像Ｇ５１０には、被呼側状態設定テーブルＴ２００に基づく複数の設定値が表示される。ボタン画像Ｇ５１８，Ｇ５１９は、押下操作されるボタン画像である。ここで、押下操作とは、ユーザによる、リモコン６６２、マウス６４２またはキーボード６４４の操作である。
【０２５８】
再び、図１９を参照して、ステップＳ５１２では、設定値変更処理が行なわれる。設定値変更処理では、設定値変更操作があった場合、制御部６１０が、設定値変更操作に対応して、設定値表示画像Ｇ５１０に表示される設定値も変更する。ここで、設定値変更操作とは、設定値表示画像Ｇ５１０に表示される設定値を変更するための、ユーザによる、リモコン６６２、マウス６４２またはキーボード６４４の操作である。設定値変更操作により変更された設定値は、制御部６１０が、一時記憶部６２２に記憶させる。
【０２５９】
たとえば、設定値変更操作により、設定値表示画像Ｇ５１０に表示される「ＤＶＤ視聴中」の行に対応する映像視聴レベルが、“１”から“２”に変更されたとする。また、設定値変更操作により、設定値表示画像Ｇ５１０に表示される「ＤＶＤ視聴中」の行に対応する被呼側通話可能時間が、３分から５分に変更されたとする。この場合、「ＤＶＤ視聴中」の行に対応する映像視聴レベル“２”と、「ＤＶＤ視聴中」の行に対応する被呼側通話可能時間である“５”が、一時記憶部６２２に記憶される。その後、ステップＳ５１４に進む。
【０２６０】
ステップＳ５１４では、制御部６１０が、設定値変更確定操作があるか否かを判定する。設定値変更確定操作とは、設定値表示画像Ｇ５１０に表示される設定値を変更した後に行なわれるボタン画像押下操作Ａである。ボタン画像押下操作Ａは、ボタン画像Ｇ５１８を押下操作するための、ユーザによる、リモコン６６２、マウス６４２またはキーボード６４４の操作である。ステップＳ５１４において、ＹＥＳならば，ステップＳ５１６に進む。一方、ステップＳ５１４において、ＮＯならば、ステップＳ５１８に進む。
【０２６１】
ステップＳ５１６では、制御部６１０が、一時記憶部６２２に記憶されている変更された設定値に基づいて、記憶部６２０に記憶されている被呼側状態設定テーブルＴ２００の設定値も変更する。たとえば、変更された設定値が、被呼側状態設定テーブルＴ２００の「ＤＶＤ視聴中」の行に対応する映像視聴レベルの値である場合、被呼側状態設定テーブルＴ２００の「ＤＶＤ視聴中」の行に対応する映像視聴レベルの値を変更する。その後、ステップＳ５１８に進む。
【０２６２】
ステップＳ５１８では、制御部６１０が、設定値変更取消し操作があるか否かを判定する。設定値変更取消し操作とは、設定値表示画像Ｇ５１０に表示される設定値を変更した後に行なわれるボタン画像押下操作Ｂである。あるいは、設定値変更取消し操作とは、設定値表示画像Ｇ５１０に表示される設定値が変更されてないときに行なわれるボタン画像押下操作Ｂである。ボタン画像押下操作Ｂは、ボタン画像Ｇ５１９を押下操作するための、ユーザによる、リモコン６６２、マウス６４２またはキーボード６４４の操作である。ステップＳ５１８において、ＹＥＳならば，この設定値変更処理は終了する。一方、ステップＳ５１８において、ＮＯならば、再度、ステップＳ５１２の処理が行なわれる。
【０２６３】
以上の設定値変更処理により、被呼側状態設定テーブルＴ２００に表示される複数の設定値を任意に変更することができる。したがって、通信端末装置６００に着呼があった場合、表示部６３０に表示される、着呼があった旨を知らせる画像を、ユーザの所望する画像に任意に変更させることが可能となるという効果を奏する。
【０２６４】
以上説明したように、本実施の形態では、ユーザによる通信端末装置６００の使用状況に応じたレベル付けを行ない、通信端末装置６００に着呼があった場合、表示部６３０には、レベル付けに応じた画像を表示する。これにより、ユーザは、映像の視聴または調理等の邪魔をされることなく、着呼していることを知ることができるという効果を奏する。
【０２６５】
また、ユーザによる通信端末装置６００の使用状況に応じたレベル付けにより、ユーザが比較的暇な状態である場合は、表示部６３０に、受話操作が行なわれるまで、着呼があった旨の表示を続ける。これにより、発呼処理を行なった側の通信端末装置５００は、受話操作が行なわれた通信端末装置６００と、短時間で、通話状態になることができるという効果を奏する。
【０２６６】
また、通信端末装置５００は、発呼しようとしている通信端末装置６００の使用状況および通信端末装置６００に接続された装置の使用状況を示す被呼側状態情報の取得要求を、通信端末装置６００へ送信する。通信端末装置６００は、被呼側状態情報の取得要求に応じて、自動的に、被呼側状態情報を、通信端末装置５００へ送信する。
【０２６７】
したがって、通信端末装置５００は、受信した被呼側状態情報により、被呼者（ユーザ）が使用する、通信端末装置６００および通信端末装置６００に接続された装置の状態を即座に知ることができるという効果を奏する。すなわち、通信相手となる装置の状態を即座に知ることができるという効果を奏する。そのため、通信相手となる装置の状態に適した通信条件で、通信することができるという効果を奏する。
【０２６８】
また、通信端末装置５００は、受信した被呼側状態情報（被呼者（ユーザ）の状態）に基づいて、通信端末装置６００へ発呼するか否かを決定する。すなわち、通信端末装置５００は、通信端末装置６００を使用する被呼者の状態が電話に出やすい状態であるときに、通信端末装置６００へ電話する。
【０２６９】
したがって、発呼者は、被呼者の都合を心配することなく、被呼者が使用する通信端末装置６００へ電話することができるという効果を奏する。また、発呼側となる通信端末装置５００を使用する発呼者が無駄な発呼操作をするのを防止することができる。
【０２７０】
また、被呼側状態情報の取得要求があっても、通信端末装置６００は、許可した装置のみにしか、被呼側状態情報を送信しない。
【０２７１】
したがって、意図しない装置に知られたくない情報を知られるのを防ぐことができるという効果を奏する。
【０２７２】
なお、本実施の形態では、通信端末装置５００が発呼する処理を行ない、通信端末装置６００が着呼する処理を行なう説明をした。しかしながら、通信端末装置６００が発呼する処理を行ない、通信端末装置５００が着呼する処理を行なってもよい。また、通信端末装置５００は、通信端末装置６００と同様な構成および機能を有する装置であってもよい。
【０２７３】
すなわち、本発明では、前述の説明において通信端末装置５００が行なった処理を、通信端末装置６００でも行い、前述の説明において通信端末装置６００が行なった処理を、通信端末装置５００でも行なうことも可能である。これにより、通信端末装置５００および通信端末装置６００の各々が、発呼する処理、着呼する処理および前述した各種処理を行なうことができる。
【０２７４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０２７５】
【図１】本実施の形態における通信システムの構成を示す図である。
【図２】本実施の形態における通信端末装置の内部の構成を示すブロック図である。
【図３】本実施の形態における通信端末装置の内部の構成を示すブロック図である。
【図４】一例としての発呼条件設定画像を示す図である。
【図５】一例としての電話帳テーブルを示す図である。
【図６】一例としての発呼側通話レベルテーブルを示す図である。
【図７】発呼側処理のフローチャートである。
【図８】被呼側処理のフローチャートである。
【図９】被呼側状態情報設定処理のフローチャートである。
【図１０】状態情報収集処理のフローチャートである。
【図１１】一例としての被呼側状態設定テーブルを示す図である。
【図１２】通話レベル・通話可能時間設定処理のフローチャートである。
【図１３】一例としての被呼側通話レベルテーブルを示す図である。
【図１４】通話開始可能時刻設定処理のフローチャートである。
【図１５】一例としての情報送信許可テーブルを示す図である。
【図１６】着呼画像を示す図である。
【図１７】被呼側状態通知画像を示す図である。
【図１８】被呼側状態通知画像を示す図である。
【図１９】設定値変更処理のフローチャートである。
【図２０】一例としての設定値変更画像を示す図である。
【符号の説明】
【０２７６】
１８０，１８０Ａ  プログラム、５００，６００  通信端末装置、５１０，６１０  制御部、５２０，６２０  記憶部、５３０，６３０  表示部、５５５，５５５Ａ  記録媒体、１０００  通信システム。
【図１】
2007142956.tif 000003
【図２】
2007142956.tif 000004
【図３】
2007142956.tif 000005
【図４】
2007142956.tif 000006
【図５】
2007142956.tif 000007
【図６】
2007142956.tif 000008
【図７】
2007142956.tif 000009
【図８】
2007142956.tif 000010
【図９】
2007142956.tif 000011
【図１０】
2007142956.tif 000012
【図１１】
2007142956.tif 000013
【図１２】
2007142956.tif 000014
【図１３】
2007142956.tif 000015
【図１４】
2007142956.tif 000016
【図１５】
2007142956.tif 000017
【図１６】
2007142956.tif 000018
【図１７】
2007142956.tif 000019
【図１８】
2007142956.tif 000020
【図１９】
2007142956.tif 000021
【図２０】
2007142956.tif 000022